(57)【特許請求の範囲】
【請求項１】
複数のサブフレームをそれぞれ有するフレームを通信のために使用する無線移動通信システムおけるハイブリッド自動再送要求（ＨＡＲＱ）動作を実行する方法であって、
＃ｉフレームの＃ｌ ダウンリンク（ＤＬ）サブフレームで送信されるデータバースト割当情報に従って、ＤＬ ＨＡＲＱのためのＤＬデータバーストの送信時点及びＨＡＲＱフィードバックの送信時点を含むＨＡＲＱタイミングを決定するステップと、
前記決定されたＨＡＲＱタイミングに従ってＨＡＲＱ動作を実行するステップとを有し、
前記ＨＡＲＱタイミングを示す少なくとも１つのフレームインデックス及び少なくとも１つのサブフレームインデックスは、ｌ及びｉを使用することにより決定され、
ＦＤＤスーパーフレームの場合には４個のフレームを含み各フレームは８個のサブフレームを有し、基地局から端末への送信のために使用されるＤＬサブフレーム及び端末から基地局への送信のために使用されるＵＬサブフレームは相互に異なる周波数帯域を占め、
ＴＤＤスーパーフレームの場合には４個のフレームを含み各フレームは８個のサブフレームを有し、全サブフレームの中の所定数のサブフレームはＤＬサブフレームとして使用され残りのサブフレームはＵＬサブフレームとして使用される
ことを特徴とする方法。
【請求項２】
周波数分割複信（ＦＤＤ）モードが使用される場合に、前記ＨＡＲＱタイミングは、次の表の数式又は次の表の数式に従う結果値を有するテーブルにより決定される
ことを特徴とする請求項１に記載の方法。
【表１】
0005336612.tif 000031
ここで、ｌは、前記データバースト割当情報を含む割当Ａ−ＭＡＰ情報要素（ＩＥ）を運搬するサブフレームのインデックスを示し、ｉは、前記割当Ａ−ＭＡＰ ＩＥを運搬するフレームのインデックスを示し、ｍは、前記データバーストに対応するＨＡＲＱサブパケットの送信が開始されるサブフレームのインデックスを示し、ｎは、前記ＨＡＲＱフィードバックを運搬するサブフレームのインデックスを示し、ｊは、前記ＨＡＲＱフィードバックを運搬するフレームのインデックスを示し、Ｆは、フレーム当たりのサブフレームの個数を示し、Ｎは、スーパーフレーム当たりのフレームの個数を示し、各スーパーフレームが４個のフレームを有する場合に４であり、ｚは、ＤＬ ＨＡＲＱフィードバックオフセットを示す。
【請求項３】
前記ＤＬ ＨＡＲＱフィードバックオフセットｚは、前記ＨＡＲＱサブパケットバーストのデータバースト処理時間に従って次の数式により決定される
ことを特徴とする請求項２に記載の方法。
【数１】
0005336612.tif 000032
ここで、ｃｅｉｌ（ ）は、シーリング関数を示し、ＮＴＴＩは、前記ＨＡＲＱサブパケットが占有するサブフレームの個数を示し、Ｒｘ＿ｔｉｍｅは、前記データバースト処理時間を示す。
【請求項４】
前記ＨＡＲＱフィードバックに対応する前記データバーストの再送信は、前記データバーストの送信から所定数のフレームの後の同一のインデックスｍを有するサブフレームで開始される
ことを特徴とする請求項２に記載の方法。
【請求項５】
前記ＨＡＲＱ動作を実行するステップは、
基地局（ＢＳ）が前記＃ｉフレームの＃ｍ ＤＬサブフレームで開始する前記ＨＡＲＱサブパケットを端末（ＭＳ）に送信するステップと、
前記基地局が、＃ｊフレームの＃ｎ ＵＬサブフレームで前記ＨＡＲＱサブパケットに対する前記ＨＡＲＱフィードバックを前記端末から受信するステップとを有する
ことを特徴とする請求項２に記載の方法。
【請求項６】
前記ＨＡＲＱ動作を実行するステップは、
端末が前記＃ｉフレームの＃ｍ ＤＬサブフレームで開始する前記ＨＡＲＱサブパケットを基地局から受信するステップと、
前記端末が＃ｊフレームの＃ｎ ＵＬサブフレームで前記ＨＡＲＱサブパケットに対する前記ＨＡＲＱフィードバックを前記基地局に送信するステップとを有する
ことを特徴とする請求項２に記載の方法。
【請求項７】
周波数分割複信（ＦＤＤ）モードで前記データバーストが２つ以上のサブフレームを占有する長い送信時間間隔（ＴＴＩ）である場合に、前記ＨＡＲＱタイミングは、次の数式により決定されるか、又は次の数式に従う結果値を有するテーブルにより決定される
ことを特徴とする請求項１に記載の方法。
【数２】
0005336612.tif 000033
ここで、ｌは、前記データバースト割当情報を含む割当アドバンストＭＡＰ情報要素（Ａ−ＭＡＰ ＩＥ）が提供されるサブフレームのインデックスを示し、ｉは、前記割当Ａ−ＭＡＰ ＩＥが提供されるフレームのインデックスを示し、ｍは、前記データバーストに対応するＨＡＲＱサブパケットの送信が開始されるサブフレームのインデックスを示し、ｎは、前記ＨＡＲＱフィードバックを運搬するサブフレームのインデックスを示し、ｊは、前記ＨＡＲＱフィードバックを運搬するフレームのインデックスを示し、Ｆは、フレーム当たりのサブフレームの個数を示し、Ｎは、スーパーフレーム当たりのフレームの個数を示し、各スーパーフレームが４個のフレームを有する場合に４であり、ｚは、ＤＬ ＨＡＲＱフィードバックオフセットを示し、ｘｎｉは、＃ｉフレームの＃ｘｎサブフレームを示す。
【請求項８】
時分割複信（ＴＤＤ）モードが使用される場合に、前記ＨＡＲＱタイミングは、次の表の数式又は次の表の数式に従う結果値を有するテーブルにより決定される
ことを特徴とする請求項２に記載の方法。
【表２】
0005336612.tif 000034
ここで、各フレームは、ダウンリンク（ＤＬ）送信のためのＤ個のサブフレームとアップリンク（ＵＬ）送信のためのＵ個のサブフレームとを有し、ｌは、前記データバースト割当情報を含む割当Ａ−ＭＡＰ情報要素（ＩＥ）が提供されるサブフレームのインデックスとして０からＤ−１までの範囲を有し、ｉは、前記割当Ａ−ＭＡＰ ＩＥが提供されるフレームインデックスを示し、ｍは、前記データバーストに対応するＨＡＲＱサブパケットの送信が開始されるサブフレームのインデックスを示し、ｎは、前記ＨＡＲＱフィードバックを運搬するサブフレームのインデックスを示し、ｊは、前記ＨＡＲＱフィードバックを運搬するフレームのインデックスを示し、Ｎは、スーパーフレーム当たりのフレームの個数を示し、各スーパーフレームが４個のフレームを有する場合に４であり、ｚは、ＤＬ ＨＡＲＱフィードバックオフセットを示し、ＤがＵより小さいか又は同一である場合に、Ｋは、−ｃｅｉｌ｛（Ｕ−Ｄ）／２｝により計算され、ＤがＵより大きい場合に、Ｋは、ｆｌｏｏｒ｛（Ｄ−Ｕ）／２｝により計算される。
【請求項９】
前記ＤＬ ＨＡＲＱフィードバックオフセットｚは、前記ＨＡＲＱサブパケットバーストのデータバースト処理時間に従って次の数式により決定される
ことを特徴とする請求項８に記載の方法。
【数３】
0005336612.tif 000035
ここで、ＮＴＴＩは、前記ＨＡＲＱサブパケットが占有するサブフレームの個数を示し、Ｒｘ＿ｔｉｍｅは、前記データバースト処理時間を示す。
【請求項１０】
前記ＨＡＲＱフィードバックに対応する前記データバーストの再送信は、前記データバーストの送信から所定数のフレームの後のサブフレームインデックスｍを有するサブフレームで開始される
ことを特徴とする請求項８に記載の方法。
【請求項１１】
前記サブフレームインデックスｌ、ｍ、及びｎがＤＬサブフレームインデックスとして使用される場合に、前記サブフレームインデックスｌ、ｍ、及びｎの各々は、０からＤ−１までの範囲を有し、Ｄは、各フレーム内でレガシーシステムをサポートする期間を除いた期間で定義されたＤＬサブフレームの個数を示し、前記サブフレームインデックスｌ、ｍ、及びｎがＵＬサブフレームインデックスとして使用される場合に、前記サブフレームインデックスｌ、ｍ、及びｎの各々は、０からＵ−１までの範囲を有し、Ｕは、各フレーム内でレガシーシステムをサポートする期間を除いた期間で定義されたＵＬサブフレームの個数を示し、前記フレームインデックスは、各フレーム内でレガシーシステムをサポートする期間を含む全期間に対応するサブフレームインデックス順序を用いて計算される
ことを特徴とする請求項８に記載の方法。
【請求項１２】
前記サブフレームインデックスｌ、ｍ、及びｎがＤＬサブフレームインデックスとして使用される場合に、ＤＬサブフレームインデックスは、中継局（ＲＳ）から端末への通信のために使用されるＤＬサブフレームに対する再整列されたインデックスであり、
前記サブフレームインデックスｌ、ｍ、及びｎがＵＬサブフレームインデックスとして使用される場合に、ＵＬサブフレームインデックスは、端末（ＭＳ）から中継局（ＲＳ）への通信のために使用されるＵＬサブフレームに対する再整列されたインデックスであり、前記フレームインデックスは、各フレーム内で前記中継局との通信のために使用される全期間に対応するサブフレームインデックス順序を用いて計算される
ことを特徴とする請求項８に記載の方法。
【請求項１３】
前記ＨＡＲＱ動作を実行するステップは、
基地局が、前記＃ｉフレームの＃ｍ ＤＬサブフレームで開始する前記ＨＡＲＱサブパケットを端末に送信するステップと、
前記基地局が、前記＃ｊフレームの＃ｎ ＵＬサブフレームを通して前記ＨＡＲＱサブパケットに対する前記ＨＡＲＱフィードバックを前記端末から受信するステップとを有する
ことを特徴とする請求項８に記載の方法。
【請求項１４】
前記ＨＡＲＱ動作を実行するステップは、
端末が、前記＃ｉフレームの＃ｍ ＤＬサブフレームで開始する前記ＨＡＲＱサブパケットを基地局から受信するステップと、
前記端末が、前記＃ｊフレームの＃ｎ ＵＬサブフレームを通して前記ＨＡＲＱサブパケットに対する前記ＨＡＲＱフィードバックを前記基地局に送信するステップとを有する
ことを特徴とする請求項８に記載の方法。
【請求項１５】
時分割複信（ＴＤＤ）モードで前記データバースト割当情報を含む割当Ａ−ＭＡＰ ＩＥが長い送信時間間隔（ＴＴＩ）送信を示し、ｌが０でない場合に、前記データバーストに対応するＨＡＲＱサブパケットの送信は、＃（ｉ＋１）フレームの＃０ ＤＬサブフレームで開始され、前記ＨＡＲＱサブパケットに対する前記ＨＡＲＱフィードバックは、＃ｊ’フレームの＃ｎ’ ＵＬサブフレームで送信され、
ここで、前記長いＴＴＩ送信は、前記ＨＡＲＱサブパケットが２個以上のサブフレームを占有することを意味し、前記サブフレームインデックスｎ’及び前記フレームインデックスｊ’は、次の数式により決定されるか、又は次の数式に従う結果値を有するテーブルにより決定される
ことを特徴とする請求項１に記載の方法。
【数４】
0005336612.tif 000036
【請求項１６】
複数のサブフレームをそれぞれ有するフレームを通信のために使用する無線移動通信システムおけるハイブリッド自動再送要求（ＨＡＲＱ）動作を実行する方法であって、
＃ｉフレームの＃ｌ ダウンリンク（ＤＬ）サブフレームで送信されるデータバースト割当情報に従って、アップリンク（ＵＬ） ＨＡＲＱのためのＵＬデータバーストの送信時点、ＨＡＲＱフィードバックの送信時点、及び前記データバーストの再送信時点を含むＨＡＲＱタイミングを決定するステップと、
前記決定されたＨＡＲＱタイミングに従ってＨＡＲＱ動作を実行するステップとを有し、
前記ＨＡＲＱタイミングを示す少なくとも１つのフレームインデックス及び少なくとも１つのサブフレームインデックスは、前記ｌ及びｉを使用することにより決定され、
ＦＤＤスーパーフレームの場合には４個のフレームを含み各フレームは８個のサブフレームを有し、基地局から端末への送信のために使用されるＤＬサブフレーム及び端末から基地局への送信のために使用されるＵＬサブフレームは相互に異なる周波数帯域を占め、
ＴＤＤスーパーフレームの場合には４個のフレームを含み各フレームは８個のサブフレームを有し、全サブフレームの中の所定数のサブフレームはＤＬサブフレームとして使用され残りのサブフレームはＵＬサブフレームとして使用される
ことを特徴とする方法。
【請求項１７】
周波数分割複信（ＦＤＤ）モードが使用される場合に、前記ＨＡＲＱタイミングは、次の表の数式又は次の表の数式に従う結果値を有するテーブルにより決定される
ことを特徴とする請求項１６に記載の方法。
【表３】
0005336612.tif 000037
ここで、ｌは、前記データバースト割当情報を含む割当Ａ−ＭＡＰ情報要素（ＩＥ）を運搬するサブフレームのインデックスを示し、ｉは、前記割当Ａ−ＭＡＰ ＩＥを運搬するフレームのインデックスを示し、ｍは、前記データバーストに対応するＨＡＲＱサブパケットの送信が開始されるサブフレームのインデックスを示し、ｊは、前記ＨＡＲＱフィードバックを運搬するフレームのインデックスを示し、Ｆは、フレーム当たりのサブフレームの個数を示し、Ｎは、スーパーフレーム当たりのフレームの個数を示し、各スーパーフレームが４個のフレームを有する場合に４であり、ｋは、前記ＨＡＲＱフィードバックを運搬するフレームのインデックスを示し、ｖは、ＵＬ ＨＡＲＱ送信オフセットを示し、ｗは、ＵＬ ＨＡＲＱフィードバックオフセットを示す。
【請求項１８】
前記ＵＬ ＨＡＲＱ送信オフセットｖ及び前記ＵＬ ＨＡＲＱフィードバックオフセットｗは、次の数式又は次の数式に従う結果値を有するテーブルにより前記ＨＡＲＱサブパケットバーストのデータバースト処理時間に従って決定される
ことを特徴とする請求項１７に記載の方法。
【数５】
0005336612.tif 000038
ここで、ｃｅｉｌ（ ）は、シーリング関数を示し、ｆｌｏｏｒ（ ）は、フロア関数を示し、ＮＴＴＩは、前記ＨＡＲＱサブパケットが占有するサブフレームの個数を示し、Ｒｘ＿ｔｉｍｅは、前記データバースト処理時間を示す。
【請求項１９】
前記ＨＡＲＱフィードバックに対応する前記データバーストの再送信が次の表の数式又は次の表の数式に従う結果値を有するテーブルにより決定される時点で開始される
ことを特徴とする請求項１７に記載の方法。
【表４】
0005336612.tif 000039
ここで、ｐは、前記ＨＡＲＱフィードバックが否定応答（ＮＡＣＫ）である場合に、前記データバーストの再送信が開始されるフレームのインデックスを示し、ｖは、前記ＵＬ ＨＡＲＱ送信オフセットを示し、ｗは、前記ＵＬ ＨＡＲＱフィードバックオフセットを示す。
【請求項２０】
前記ＨＡＲＱ動作を実行するステップは、
基地局が、前記＃ｊフレームの＃ｍ ＵＬサブフレームで開始される前記ＨＡＲＱサブパケットを端末から受信するステップと、
前記基地局が、前記＃ｋフレームの＃ｌ ダウンリンク（ＤＬ）サブフレームで前記ＨＡＲＱサブパケットに対する前記ＨＡＲＱフィードバックを前記端末に送信するステップと、
前記基地局が、前記＃ｐフレームの＃ｍ アップリンク（ＵＬ）サブフレームで開始される前記ＨＡＲＱサブパケットの再送信を前記端末から受信するステップとを有する
ことを特徴とする請求項１７に記載の方法。
【請求項２１】
前記ＨＡＲＱ動作を実行するステップは、
端末が、前記＃ｊフレームの＃ｍ ＵＬサブフレームで開始される前記ＨＡＲＱサブパケットを基地局に送信するステップと、
前記端末が、前記＃ｋフレームの＃ｌ ＤＬサブフレームで前記ＨＡＲＱサブパケットに対する前記ＨＡＲＱフィードバックを前記基地局から受信するステップと、
前記端末が、前記＃ｐフレームの＃ｍ ＵＬサブフレームから開始される前記ＨＡＲＱサブパケットを前記基地局に再送信するステップとを有する
ことを特徴とする請求項１７に記載の方法。
【請求項２２】
周波数分割複信（ＦＤＤ）モードで前記データバーストが２つ以上のサブフレームを占有する長い送信時間間隔（ＴＴＩ）である場合に、前記ＨＡＲＱタイミングは、次の数式により決定されるか、又は次の数式に従う結果値を有するテーブルにより決定される
ことを特徴とする請求項１６に記載の方法。
【数６】
0005336612.tif 000040
ここで、ｌは、前記データバースト割当情報を含む割当アドバンストＭＡＰ情報要素（Ａ−ＭＡＰ ＩＥ）が提供されるサブフレームのインデックスを示し、ｉは、前記割当Ａ−ＭＡＰ ＩＥが提供されるフレームのインデックスを示し、ｍは、前記データバーストに対応するＨＡＲＱサブパケットの送信が開始されるサブフレームのインデックスを示し、ｎは、前記ＨＡＲＱフィードバックを運搬するサブフレームのインデックスを示し、ｊは、前記ＨＡＲＱフィードバックを運搬するフレームのインデックスを示し、Ｆは、フレーム当たりのサブフレームの個数を示し、Ｎは、スーパーフレーム当たりのフレームの個数を示し、各スーパーフレームが４個のフレームを有する場合に４であり、ｐは、前記ＨＡＲＱフィードバックが否定応答（ＮＡＣＫ）である場合に、前記データバーストの再送信が開始されるフレームのインデックスを示し、ｖは、前記ＵＬ ＨＡＲＱフィードバックオフセットを示し、ｙｎｉは、＃ｉフレームの＃ｙｎサブフレームを示す。
【請求項２３】
時分割複信（ＴＤＤ）モードが使用される場合に、前記ＨＡＲＱタイミングは、次の表の数式又は次の表の数式に従う結果値を有するテーブルにより決定される
ことを特徴とする請求項１６に記載の方法。
【表５】
0005336612.tif 000041
ここで、各フレームは、ダウンリンク（ＤＬ）送信のためのＤ個のサブフレームとアップリンク（ＵＬ）送信のためのＵ個のサブフレームとを有し、ｌは、前記データバースト割当情報を含む割当Ａ−ＭＡＰ情報要素（ＩＥ）が提供されるサブフレームのインデックスとして０からＤ−１までの範囲を有し、ｉは、前記割当Ａ−ＭＡＰ ＩＥが提供されるフレームインデックスを示し、ｍは、前記データバーストに対応するＨＡＲＱサブパケットの送信が開始されるサブフレームのインデックスを示し、ｎは、前記ＨＡＲＱフィードバックを運搬するサブフレームのインデックスを示し、ｊは、前記ＨＡＲＱフィードバックを運搬するフレームのインデックスを示し、Ｎは、スーパーフレーム当たりのフレームの個数を示し、各スーパーフレームが４個のフレームを有する場合に４であり、ｋは、前記ＨＡＲＱフィードバックを運搬するフレームのインデックスを示し、ｖは、ＵＬ ＨＡＲＱ送信オフセットを示し、ｗは、ＵＬ ＨＡＲＱフィードバックオフセットを示し、ＤがＵより小さい場合に、Ｋは、−ｃｅｉｌ｛（Ｕ−Ｄ）／２｝により計算され、ＤがＵより大きいか又は同一である場合に、Ｋは、ｆｌｏｏｒ｛（Ｄ−Ｕ）／２｝により計算される。
【請求項２４】
前記ＵＬ ＨＡＲＱ送信オフセットｖ及び前記ＵＬ ＨＡＲＱフィードバックオフセットｗは、次の数式を用いて前記ＨＡＲＱサブパケットバーストのデータバースト処理時間に従って決定される
ことを特徴とする請求項２３に記載の方法。
【数７】
0005336612.tif 000042
ここで、ＮＴＴＩは、前記ＨＡＲＱサブパケットが占有するサブフレームの個数を示し、Ｔｘ＿Ｔｉｍｅ及びＲｘ＿Ｔｉｍｅの各々は、前記データバースト処理時間を示す。
【請求項２５】
前記ＨＡＲＱフィードバックに対応する前記データバーストの再送信は、次の表により決定される時点で開始される
ことを特徴とする請求項２３に記載の方法。
【表６】
0005336612.tif 000043
ここで、ｐは、前記ＨＡＲＱフィードバックが否定応答（ＮＡＣＫ）である場合に、前記データバーストの再送信が開始されるフレームのインデックスを示す。
【請求項２６】
前記サブフレームインデックスｌ、ｍ、及びｎがＤＬサブフレームインデックスとして使用される場合に、前記サブフレームインデックスｌ、ｍ、及びｎの各々は、０からＤ−１までの範囲を有し、Ｄは、各フレーム内でレガシーシステムをサポートする期間を除いた期間で定義されたＤＬサブフレームの個数を示し、前記サブフレームインデックスｌ、ｍ、及びｎがＵＬサブフレームインデックスとして使用される場合に、前記サブフレームインデックスｌ、ｍ、及びｎの各々は、０からＵ−１までの範囲を有し、Ｕは、各フレーム内でレガシーシステムをサポートする期間を除いた期間で定義されたＵＬサブフレームの個数を示し、前記フレームインデックスは、各フレーム内でレガシーシステムをサポートする期間を含む全期間に対応するサブフレームインデックス順序を用いて計算されることを特徴とする請求項２３に記載の方法。
【請求項２７】
前記サブフレームインデックスｌ、ｍ、及びｎがＤＬサブフレームインデックスとして使用される場合に、ＤＬサブフレームインデックスは、中継局（ＲＳ）から端末への通信のために使用されるＤＬサブフレームに対する再整列されたインデックスであり、
前記サブフレームインデックスｌ、ｍ、及びｎがＵＬサブフレームインデックスとして使用される場合に、ＵＬサブフレームインデックスは、端末（ＭＳ）から中継局（ＲＳ）への通信のために使用されるＵＬサブフレームに対する再整列されたインデックスであり、前記フレームインデックスは、各フレーム内で前記中継局との通信のために使用される全期間に対応するサブフレームインデックス順序を用いて計算される
ことを特徴とする請求項２３に記載の方法。
【請求項２８】
前記ＨＡＲＱ動作を実行するステップは、
基地局が、前記＃ｊフレームの＃ｍ ＵＬサブフレームで開始される前記ＨＡＲＱサブパケットを端末から受信するステップと、
前記基地局が、前記＃ｋフレームの＃ｌ ダウンリンク（ＤＬ）サブフレームで前記ＨＡＲＱサブパケットに対する前記ＨＡＲＱフィードバックを前記端末に送信するステップと、
前記基地局が、前記＃ｐフレームの＃ｍ アップリンク（ＵＬ）サブフレームで開始される前記ＨＡＲＱサブパケットの再送信を前記端末から受信するステップとを有する
ことを特徴とする請求項２３に記載の方法。
【請求項２９】
前記ＨＡＲＱ動作を実行するステップは、
端末が、前記＃ｊフレームの＃ｍ ＵＬサブフレームで開始される前記ＨＡＲＱサブパケットを基地局に送信するステップと、
前記端末が、前記＃ｋフレームの＃ｌ ＤＬサブフレームで前記ＨＡＲＱサブパケットに対する前記ＨＡＲＱフィードバックを前記基地局から受信するステップと、
前記端末が、前記＃ｐフレームの＃ｍ ＵＬサブフレームで開始される前記ＨＡＲＱサブパケットを前記基地局に再送信するステップとを有する
ことを特徴とする請求項２３に記載の方法。
【請求項３０】
時分割複信（ＴＤＤ）モードで前記データバースト割当情報を含む割当Ａ−ＭＡＰ ＩＥが長い送信時間間隔（ＴＴＩ）送信を示す場合に、前記データバーストに対応するＨＡＲＱサブパケットの送信は、＃ｊフレームの＃０ ＵＬサブフレームで開始され、ＨＡＲＱサブパケットに対する前記ＨＡＲＱフィードバックは、＃ｐフレームの＃ｌ ＵＬサブフレームで送信され、前記長いＴＴＩ送信は、前記ＨＡＲＱサブパケットが２個以上のサブフレームを占有する
ことを意味することを特徴とする請求項１６に記載の方法。
【請求項３１】
複数のサブフレームをそれぞれ有するフレームを通信のために使用する無線移動通信システムおけるハイブリッド自動再送要求（ＨＡＲＱ）動作を実行する装置であって、
＃ｉフレームの＃ｌ ダウンリンク（ＤＬ）サブフレームで送信されるデータバースト割当情報に従って、ＤＬ ＨＡＲＱのためのＤＬデータバーストの送信時点及びＨＡＲＱフィードバックの送信時点を含むＨＡＲＱタイミングを決定する制御器と、
前記決定されたＨＡＲＱタイミングに従ってＨＡＲＱ動作を実行する送受信器とを有し、
前記ＨＡＲＱタイミングを示す少なくとも１つのフレームインデックス及び少なくとも１つのサブフレームインデックスは、ｌ及びｉを使用することにより決定され、
ＦＤＤスーパーフレームの場合には４個のフレームを含み各フレームは８個のサブフレームを有し、基地局から端末への送信のために使用されるＤＬサブフレーム及び端末から基地局への送信のために使用されるＵＬサブフレームは相互に異なる周波数帯域を占め、
ＴＤＤスーパーフレームの場合には４個のフレームを含み各フレームは８個のサブフレームを有し、全サブフレームの中の所定数のサブフレームはＤＬサブフレームとして使用され残りのサブフレームはＵＬサブフレームとして使用される
ことを特徴とする装置。
【請求項３２】
前記制御器は、周波数分割複信（ＦＤＤ）モードが使用される場合に、前記ＨＡＲＱタイミングを、次の表の数式又は次の表の数式に従う結果値を有するテーブルにより決定する
ことを特徴とする請求項３１に記載の装置。
【表７】
0005336612.tif 000044
ここで、ｌは、前記データバースト割当情報を含む割当Ａ−ＭＡＰ情報要素（ＩＥ）を運搬するサブフレームのインデックスを示し、ｉは、前記割当Ａ−ＭＡＰ ＩＥを運搬するフレームのインデックスを示し、ｍは、前記データバーストに対応するＨＡＲＱサブパケットの送信が開始されるサブフレームのインデックスを示し、ｎは、前記ＨＡＲＱフィードバックを運搬するサブフレームのインデックスを示し、ｊは、前記ＨＡＲＱフィードバックを運搬するフレームのインデックスを示し、Ｆは、フレーム当たりのサブフレームの個数を示し、Ｎは、スーパーフレーム当たりのフレームの個数を示し、各スーパーフレームが４個のフレームを有する場合に４であり、ｚは、ＤＬ ＨＡＲＱフィードバックオフセットを示す。
【請求項３３】
前記ＤＬ ＨＡＲＱフィードバックオフセットｚは、前記ＨＡＲＱサブパケットバーストのデータバースト処理時間に従って次の数式により決定される
ことを特徴とする請求項３２に記載の装置。
【数８】
0005336612.tif 000045
ここで、ｃｅｉｌ（ ）は、シーリング関数を示し、ＮＴＴＩは、前記ＨＡＲＱサブパケットが占有するサブフレームの個数を示し、Ｒｘ＿ｔｉｍｅは、前記データバースト処理時間を示す。
【請求項３４】
時分割複信（ＴＤＤ）モードが使用される場合に、前記ＨＡＲＱタイミングは、次の表の数式又は次の表の数式に従う結果値を有するテーブルにより決定される
ことを特徴とする請求項３１に記載の装置。
【表８】
0005336612.tif 000046
ここで、各フレームは、ダウンリンク（ＤＬ）送信のためのＤ個のサブフレームとアップリンク（ＵＬ）送信のためのＵ個のサブフレームとを有し、ｌは、前記データバースト割当情報を含む割当Ａ−ＭＡＰ情報要素（ＩＥ）が提供されるサブフレームのインデックスとして０からＤ−１までの範囲を有し、ｉは、前記割当Ａ−ＭＡＰ ＩＥが提供されるフレームインデックスを示し、ｍは、前記データバーストに対応するＨＡＲＱサブパケットの送信が開始されるサブフレームのインデックスを示し、ｎは、前記ＨＡＲＱフィードバックを運搬するサブフレームのインデックスを示し、ｊは、前記ＨＡＲＱフィードバックを運搬するフレームのインデックスを示し、Ｎは、スーパーフレーム当たりのフレームの個数を示し、各スーパーフレームが４個のフレームを有する場合に４であり、ｚは、ＤＬ ＨＡＲＱフィードバックオフセットを示し、ＤがＵより小さいか又は同一である場合に、Ｋは、−ｃｅｉｌ｛（Ｕ−Ｄ）／２｝により計算され、ＤがＵより大きい場合に、Ｋは、ｆｌｏｏｒ｛（Ｄ−Ｕ）／２｝により計算される。
【請求項３５】
前記ＤＬ ＨＡＲＱフィードバックオフセットｚは、前記ＨＡＲＱサブパケットバーストのデータバースト処理時間に従って次の数式により決定される
ことを特徴とする請求項３４に記載の装置。
【数９】
0005336612.tif 000047
ここで、ＮＴＴＩは、前記ＨＡＲＱサブパケットが占有するサブフレームの個数を示し、Ｒｘ＿ｔｉｍｅは、前記データバースト処理時間を示す。
【請求項３６】
複数のサブフレームをそれぞれ有するフレームを通信のために使用する無線移動通信システムおけるハイブリッド自動再送要求（ＨＡＲＱ）動作を実行する装置であって、
＃ｉフレームの＃ｌ ダウンリンク（ＤＬ）サブフレームで送信されるデータバースト割当情報に従って、アップリンク（ＵＬ） ＨＡＲＱのためのＵＬデータバーストの送信時点、ＨＡＲＱフィードバックの送信時点、及び前記データバーストの再送信時点を含むＨＡＲＱタイミングを決定する制御器と、
前記決定されたＨＡＲＱタイミングに従ってＨＡＲＱ動作を実行する送受信器とを有し、
前記ＨＡＲＱタイミングを示す少なくとも１つのフレームインデックス及び少なくとも１つのサブフレームインデックスは、前記ｌ及びｉを使用することにより決定され、
ＦＤＤスーパーフレームの場合には４個のフレームを含み各フレームは８個のサブフレームを有し、基地局から端末への送信のために使用されるＤＬサブフレーム及び端末から基地局への送信のために使用されるＵＬサブフレームは相互に異なる周波数帯域を占め、
ＴＤＤスーパーフレームの場合には４個のフレームを含み各フレームは８個のサブフレームを有し、全サブフレームの中の所定数のサブフレームはＤＬサブフレームとして使用され残りのサブフレームはＵＬサブフレームとして使用される
ことを特徴とする装置。
【請求項３７】
周波数分割複信（ＦＤＤ）モードが使用される場合に、前記制御器は、前記ＨＡＲＱタイミングを、次の表の数式又は次の表の数式に従う結果値を有するテーブルにより決定する
ことを特徴とする請求項３６に記載の装置。
【表９】
0005336612.tif 000048
ここで、ｌは、前記データバースト割当情報を含む割当Ａ−ＭＡＰ情報要素（ＩＥ）を運搬するサブフレームのインデックスを示し、ｉは、前記割当Ａ−ＭＡＰ ＩＥを運搬するフレームのインデックスを示し、ｍは、前記データバーストに対応するＨＡＲＱサブパケットの送信が開始されるサブフレームのインデックスを示し、ｊは、前記ＨＡＲＱフィードバックを運搬するフレームのインデックスを示し、Ｆは、フレーム当たりのサブフレームの個数を示し、Ｎは、スーパーフレーム当たりのフレームの個数を示し、各スーパーフレームが４個のフレームを有する場合に４であり、ｋは、前記ＨＡＲＱフィードバックを運搬するフレームのインデックスを示し、ｖは、ＵＬ ＨＡＲＱ送信オフセットを示し、ｗは、ＵＬ ＨＡＲＱフィードバックオフセットを示す。
【請求項３８】
前記ＵＬ ＨＡＲＱ送信オフセットｖ及び前記ＵＬ ＨＡＲＱフィードバックオフセットｗは、次の数式又は次の数式に従う結果値を有するテーブルにより前記ＨＡＲＱサブパケットバーストのデータバースト処理時間に従って決定される
ことを特徴とする請求項３７に記載の装置。
【数１０】
0005336612.tif 000049
ここで、ｃｅｉｌ（ ）は、シーリング関数を示し、ｆｌｏｏｒ（ ）は、フロア関数を示し、ＮＴＴＩは、前記ＨＡＲＱサブパケットが占有するサブフレームの個数を示し、Ｒｘ＿ｔｉｍｅは、前記データバースト処理時間を示す。
【請求項３９】
前記ＨＡＲＱフィードバックに対応する前記データバーストの再送信が次の表の数式又は次の表の数式に従う結果値を有するテーブルにより決定される時点で開始される
ことを特徴とする請求項３７に記載の装置。
【表１０】
0005336612.tif 000050
ここで、ｐは、前記ＨＡＲＱフィードバックが否定応答（ＮＡＣＫ）である場合に、前記データバーストの再送信が開始されるフレームのインデックスを示し、ｖは、前記ＵＬ ＨＡＲＱ送信オフセットを示し、ｗは、前記ＵＬ ＨＡＲＱフィードバックオフセットを示す。
【請求項４０】
時分割複信（ＴＤＤ）モードが使用される場合に、前記ＨＡＲＱタイミングは、次の表の数式又は次の表の数式に従う結果値を有するテーブルにより決定される
ことを特徴とする請求項３６に記載の装置。
【表１１】
0005336612.tif 000051
ここで、各フレームは、ダウンリンク（ＤＬ）送信のためのＤ個のサブフレームとアップリンク（ＵＬ）送信のためのＵ個のサブフレームとを有し、ｌは、前記データバースト割当情報を含む割当Ａ−ＭＡＰ情報要素（ＩＥ）が提供されるサブフレームのインデックスとして０からＤ−１までの範囲を有し、ｉは、前記割当Ａ−ＭＡＰ ＩＥが提供されるフレームインデックスを示し、ｍは、前記データバーストに対応するＨＡＲＱサブパケットの送信が開始されるサブフレームのインデックスを示し、ｎは、前記ＨＡＲＱフィードバックを運搬するサブフレームのインデックスを示し、ｊは、前記ＨＡＲＱフィードバックを運搬するフレームのインデックスを示し、Ｎは、スーパーフレーム当たりのフレームの個数を示し、各スーパーフレームが４個のフレームを有する場合に４であり、ｋは、前記ＨＡＲＱフィードバックを運搬するフレームのインデックスを示し、ｖは、ＵＬ ＨＡＲＱ送信オフセットを示し、ｗは、ＵＬ ＨＡＲＱフィードバックオフセットを示し、ＤがＵより小さい場合に、Ｋは、−ｃｅｉｌ｛（Ｕ−Ｄ）／２｝により計算され、ＤがＵより大きいか又は同一である場合に、Ｋは、ｆｌｏｏｒ｛（Ｄ−Ｕ）／２｝により計算される。
【請求項４１】
前記ＵＬ ＨＡＲＱ送信オフセットｖ及び前記ＵＬ ＨＡＲＱフィードバックオフセットｗは、次の数式を用いて前記ＨＡＲＱサブパケットバーストのデータバースト処理時間に従って決定される
ことを特徴とする請求項４０に記載の装置。
【数１１】
0005336612.tif 000052
ここで、ＮＴＴＩは、前記ＨＡＲＱサブパケットが占有するサブフレームの個数を示し、Ｔｘ＿Ｔｉｍｅ及びＲｘ＿Ｔｉｍｅの各々は、前記データバースト処理時間を示す。
【請求項４２】
前記ＨＡＲＱフィードバックに対応する前記データバーストの再送信は、次の表により決定される時点で開始される
ことを特徴とする請求項４０に記載の装置。
【表１２】
0005336612.tif 000053
ここで、ｐは、前記ＨＡＲＱフィードバックが否定応答（ＮＡＣＫ）である場合に、前記データバーストの再送信が開始されるフレームのインデックスを示す。
【発明の詳細な説明】
【技術分野】
【０００１】
本発明は、無線移動通信システムに関し、より詳細には、無線移動通信システムにおけるハイブリッド自動再送要求（Hybrid Automatic Repeat Request：以下、“ＨＡＲＱ”と称する。）動作を実行する方法に関する。
【背景技術】
【０００２】
無線移動通信システムは、ブロードキャスティングサービス、マルチメディア映像サービス、及びマルチメディアメッセージングサービスなどのような様々なサービスをサポートするように発展している。特に、次世代無線移動通信システムは、高速で移動中のユーザには、１００Ｍｂｐｓ以上のデータサービスを提供し、低速で移動中のユーザには、１Ｇｂｐｓ以上のデータサービスを提供するために開発されている。
【０００３】
無線移動通信システムにおいて、基地局（Base Station：ＢＳ）と端末（Mobile Station：ＭＳ）間の高信頼性のデータを高速で送受信するためには、制御オーバーヘッド（control overhead）の減少及び短いレイテンシー（latency）が要求される。制御オーバーヘッドを減少させ、短いレイテンシーをサポートするためには、ハイブリッド自動再送要求（Hybrid Automatic Repeat reQuest：ＨＡＲＱ）技術が適用され得る。
【０００４】
ＨＡＲＱ方式を実現する無線移動通信システムにおいて、送信器がデータを運搬するための信号を送信する場合に、受信器は、この信号の受信に成功したことを示す肯定応答（ＡＣＫ）信号又は否定応答（ＮＡＣＫ）信号を送信器にフィードバックする。ＡＣＫ又はＮＡＣＫ信号を受信する際に、送信器は、新たなデータを初期送信するか又は送信したデータをＨＡＲＱ方式に従って再送信する。ＨＡＲＱ方式は、２通りのタイプ、すなわち、チェイスコンバイニング（Chase Combining：ＣＣ）方式及び増分冗長（Incremental Redundancy：ＩＲ）方式に分類し得る。
【０００５】
ＨＡＲＱ動作の間に送受信動作がフレーム単位で行われるために、レイテンシーが減少しない。したがって、信号送受信のレイテンシーを短縮させる新たなフレーム構造、及び新たなフレーム構造を実現するためのＨＡＲＱ動作タイミング構造に対する必要性が高まっている。
【発明の概要】
【発明が解決しようとする課題】
【０００６】
そこで、本発明は上記従来の問題点に鑑みてなされたものであって、本発明の目的は、無線移動通信システムにおいてハイブリッド自動再送要求（ＨＡＲＱ）動作を制御する方法を提供することにある。
【０００７】
本発明の他の目的は、無線移動通信システムにおいてデータバーストの送信タイミング、データバーストのためのＨＡＲＱフィードバック信号の送信、及びデータバーストの再送信を決定する方法を提供することにある。
【０００８】
本発明のまた他の目的は、無線移動通信システムにおいてデータバーストの送信時間間隔及びシステム性能に従ってＨＡＲＱ動作タイミングを柔軟に決定する方法を提供することにある。
【課題を解決するための手段】
【０００９】
上記のような目的を達成するために、本発明の実施形態の一態様によれば、複数のサブフレームをそれぞれ有するフレームを通信のために使用する無線移動通信システムおけるハイブリッド自動再送要求（ＨＡＲＱ）動作を実行する方法を提供する。上記方法は、＃ｉフレームの＃ｌ  ダウンリンク（ＤＬ）サブフレームで送信されるデータバースト割当情報に従って、ＤＬ  ＨＡＲＱのためのＤＬデータバーストの送信時点及びＨＡＲＱフィードバックの送信時点を含むＨＡＲＱタイミングを決定するステップと、上記決定されたＨＡＲＱタイミングに従ってＨＡＲＱ動作を実行するステップとを有し、上記ＨＡＲＱタイミングを示す少なくとも１つのフレームインデックス及び少なくとも１つのサブフレームインデックスは、ｌ及びｉを使用することにより決定されることを特徴とする。
【００１０】
本発明の実施形態の他の態様によれば、複数のサブフレームをそれぞれ有するフレームを通信のために使用する無線移動通信システムおけるハイブリッド自動再送要求（ＨＡＲＱ）動作を実行する方法を提供する。上記方法は、＃ｉフレームの＃ｌ  ダウンリンク（ＤＬ）サブフレームで送信されるデータバースト割当情報に従って、アップリンク（ＵＬ）  ＨＡＲＱのためのＵＬデータバーストの送信時点、ＨＡＲＱフィードバックの送信時点、及び上記データバーストの再送信時点を含むＨＡＲＱタイミングを決定するステップと、上記決定されたＨＡＲＱタイミングに従ってＨＡＲＱ動作を実行するステップとを有し、上記ＨＡＲＱタイミングを示す少なくとも１つのフレームインデックス及び少なくとも１つのサブフレームインデックスは、上記ｌ及びｉを使用することにより決定されることを特徴とする。
【発明の効果】
【００１１】
本発明の実施形態は、無線移動通信システムにおいて、ＨＡＲＱ Ｔｘタイミングが柔軟に設定されるために、異なるシステム帯域幅のための異なるフレーム構成方法、ダウンリンク（ＤＬ）とアップリンク（ＵＬ）間の様々な比率、レガシー（legacy）システムサポート方式に従って柔軟なＨＡＲＱ送信を可能にすることができる。
【００１２】
上述した同期化した関係は、受信器がモニタリングしなければならないサブフレームの個数を減少させることにより、電力浪費を最小化することができる。さらに、端末は、予め定義された動作タイミングを使用することにより、より自由に他のシステムと通信することができるという長所を有する。
【図面の簡単な説明】
【００１３】
【図１】本発明の実施形態による周波数分割複信（ＦＤＤ）スーパーフレーム構造を示す図である。
【図２】本発明の実施形態による時分割複信（ＴＤＤ）スーパーフレーム構造を示す図である。
【図３】本発明の実施形態によるＦＤＤ方式のダウンリンク（ＤＬ）データバースト送信のためのハイブリッド自動再送要求（ＨＡＲＱ）動作タイミング構造を示す図である。
【図４】本発明の実施形態によるＦＤＤ方式のアップリンク（ＵＬ）データバースト送信のためのＨＡＲＱ動作タイミング構造を示す図である。
【図５】本発明の実施形態によるＴＤＤ方式のＤＬデータバースト送信のためのＨＡＲＱ動作タイミング構造を示す図である。
【図６】本発明の実施形態によるＴＤＤ方式のＵＬデータバースト送信のためのＨＡＲＱ動作タイミング構造を示す図である。
【図７】本発明の実施形態による２つの異なるシステムが共存する場合にＴＤＤ方式のＤＬデータバースト送信のためのＨＡＲＱ動作タイミング構造を示す図である。
【図８】本発明の実施形態による２つの異なるシステムが共存する場合にＴＤＤ方式のＵＬデータバースト送信のためのＨＡＲＱ動作タイミング構造を示す図である。
【図９】本発明の他の実施形態によるＦＤＤ方式のＤＬデータバースト送信のためのＨＡＲＱ動作タイミング構造を示す図である。
【図１０】本発明の他の実施形態によるＴＤＤ方式のＤＬデータバースト送信のためのＨＡＲＱ動作タイミング構造を示す図である。
【図１１】本発明の実施形態によるＤＬとＵＬ間の比率に基づくＨＡＲＱ動作タイミング構造を示す図である。
【図１２】本発明の実施形態によるＤＬとＵＬ間の比率に基づくＨＡＲＱ動作タイミング構造を示す図である。
【図１３】本発明の実施形態によるＤＬとＵＬ間の比率に基づくＨＡＲＱ動作タイミング構造を示す図である。
【図１４】本発明の実施形態によるＤＬとＵＬ間の比率に基づくＨＡＲＱ動作タイミング構造を示す図である。
【図１５】本発明の実施形態による複数の中継局（ＲＳ）をサポートする無線移動通信システムのフレーム構造を示す図である。
【図１６】本発明の実施形態によるＴＤＤ方式の中継局（ＲＳ）フレーム構造を示す図である。
【図１７】本発明の実施形態による奇数ホップＲＳのためのＨＡＲＱ動作タイミング構造を示すである。
【図１８】本発明の実施形態による偶数ホップＲＳのためのＨＡＲＱ動作タイミング構造を示す図である。
【図１９】本発明の実施形態によるＤＬ及びＵＬ  ＨＡＲＱタイミング構造に従う基地局（ＢＳ）と端末（ＭＳ）間の動作のための信号フローを示す図である。
【図２０】本発明の実施形態によるＤＬ及びＵＬ  ＨＡＲＱタイミング構造に従う基地局（ＢＳ）と端末（ＭＳ）間の動作のための信号フローを示す図である。
【発明を実施するための形態】
【００１４】
本発明の他の目的、利点、及び顕著な特徴は、添付の図面及び本発明の実施形態からなされた以下の詳細な説明から、この分野の当業者に明確になるはずである。上記の図面において、同一の図面参照符号は、同一な素子、特性、及び構造を意味することが分かるはずである。
【００１５】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、単なる実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１６】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００１７】
英文明細書に記載の“ａ”、“ａｎ”、及び“ｔｈｅ”、即ち、単数形は、文脈中に特に明示しない限り、複数形を含むことは、当業者には理解される。従って、例えば、“コンポーネント表面（a component surface）”との記載は、１つ又は複数の表面を含む。
【００１８】
本発明の実施形態は、周波数分割複信（Frequency Division Duplex：以下、“ＦＤＤ”と称する。）モード、時分割複信（Time Division Duplex：以下、“ＴＤＤ”と称する。）モード、半複信ＦＤＤ（Half duplex-FDD：以下、“Ｈ−ＦＤＤ”と称する。）モード、又はＦＤＤモード及びＴＤＤモードで動作する無線移動通信システムにおいて、所定のＨＡＲＱ再送信レイテンシーを有するハイブリッド自動再送要求（Hybrid Automatic Repeat Request：以下、“ＨＡＲＱ”と称する。）動作を実行する方法を提案する。ＴＤＤモード又はＨ−ＦＤＤモードにおいて、フレームは、ダウンリンク（ＤＬ）とアップリンク（ＵＬ）間の様々な比率で構成され得る。したがって、ＤＬ期間及びＵＬ期間の対応関係は、フレームで対称であるか又は非対称であり得る。
【００１９】
以下、ＨＡＲＱ方式に従ってスーパーフレーム構造に基づいて基地局（Base Station：ＢＳ）と端末（Mobile Station：ＭＳ）間の信号送受信動作について説明する。各スーパーフレームは、１つ以上のフレームを含み、各フレームは、１つ以上のサブフレームを含む。“サブフレーム”との用語は、“時間スロット”と同一の意味で使用されることができる。各時間スロット又はサブフレームは、１つ以上の直交周波数分割多元接続（Orthogonal Frequency Division Multiple Access：ＯＦＤＭＡ）シンボルを含む。
【００２０】
実施形態において、基地局及び端末の各々は、データバースト割当情報の生成及び分析を行い、後述するフレーム構造及びＨＡＲＱ動作タイミングに従ってＨＡＲＱ送信時点を決定する制御器と、この制御器の制御の下に決定されたタイミングでデータバースト及びＨＡＲＱフィードバックの生成及び分析のための少なくとも１つのＨＡＲＱプロセッサと、このデータバースト割当情報、このデータバースト、及びＨＡＲＱフィードバックの送受信のための送受信器とを含み得る。例えば、このデータバースト割当情報は、リソース割当てを示すアドバンスト（Advanced）ＭＡＰ（Ａ−ＭＡＰ）情報要素（Information Element：ＩＥ）として伝達され得、このデータバーストは、ＨＡＲＱ動作に従って生成されたＨＡＲＱサブパケットの形態で送信され得る。
【００２１】
図１は、本発明の実施形態によるＦＤＤスーパーフレームの構造を示す図である。
【００２２】
図１を参照すると、スーパーフレーム１００は、４個のフレームを含み、各フレーム１１０は、８個のサブフレームを有する。ＦＤＤ方式の場合には、基地局から端末への送信のために使用されるＤＬサブフレーム１２０及び端末から基地局への送信のために使用されるＵＬサブフレーム１３０は、相互に異なる周波数帯域を占める。
【００２３】
図２は、本発明の実施形態によるＴＤＤスーパーフレームの構造を示す図である。
【００２４】
図２を参照すると、スーパーフレーム２００は、４個のフレームを含み、各フレーム２１０は、８個のサブフレーム２２０を有する。ＴＤＤモードの場合には、全サブフレームの中の所定数のサブフレームは、ＤＬサブフレームとして使用され、残りのサブフレームは、ＵＬサブフレームとして使用される。図２の場合には、ＤＬとＵＬ間の比率は、５：３であり、ＤＬ時間期間の間に定義される５個のＤＬサブフレーム及びＵＬ時間期間の間に定義される３個のＵＬサブフレームを示す。送信／受信切り替えギャップ（Transmit/receive Transition Gap：ＴＴＧ）２３０は、ＤＬサブフレームと次のＵＬサブフレームの間に挿入され、受信／送信切り替えギャップ（receive/Transmit Transition Gap：ＲＴＧ）２４０は、ＵＬサブフレームと次のＤＬサブフレームの間に挿入される。
【００２５】
図１及び図２では、各スーパーフレームが４個のフレームを含み、各フレームが８個のサブフレームを有する場合について図示したが、スーパーフレーム当たりのフレームの個数Ｎ及びフレーム当たりのサブフレームの個数Ｆは、無線移動通信システムの帯域幅（bandwidth：ＢＷ）及びサブキャリア間隔（spacing）基づいて変わり得る。５、１０、及び２０ＭＨｚのチャネル帯域幅を有する直交周波数分割多重化（Orthogonal Frequency Division Multiplexing：ＯＦＤＭ）／ＯＦＤＭＡ方式の無線移動通信システムにおいて、各フレームは、８個のサブフレームを有し、他方、８．７５ＭＨｚのチャネル帯域幅を有するＯＦＤＭ／ＯＦＤＭＡ方式の無線移動通信システムにおいて、フレーム当たりのサブフレームの個数は、７であり得る。また、７ＭＨｚのチャネル帯域幅を有するＯＦＤＭ／ＯＦＤＭＡ方式の無線移動通信システムにおいて、フレーム当たりのサブフレームの個数は、６であり得る。また、与えられた１つのＢＷに対して、フレーム当たりのサブフレームの個数は、サイクリックプレフィックス（ＣＰ）長さに従って異なり得る。
【００２６】
ＨＡＲＱ方式において、初期送信タイミング及び再送信タイミングは、任意の対応関係を有し得る。このような対応関係は、ＨＡＲＱ動作タイミング構造又はＨＡＲＱインターレースと呼ぶ。このＨＡＲＱ動作タイミング構造又はＨＡＲＱインターレースは、リソース割当情報（すなわち、制御情報）を含むＭＡＰメッセージを運搬するサブフレームとＭＡＰメッセージを運搬するサブフレームに関連した信号を運搬するサブフレーム間の関係と、この信号を運搬するサブフレームとこの信号に対するフィードバックを運搬するサブフレーム間の関係と、このフィードバックサブフレームとこのフィードバックに従って初期送信データ又は再送信データを運搬するサブフレーム間の関係を意味する。ＨＡＲＱ動作タイミング構造又はＨＡＲＱインターレースをより詳細に説明すると、次のようである。
【００２７】
（１）データバースト割当ＩＥ：ＤＬサブフレーム内のＤＬデータバースト又はＵＬデータバーストを示す。
（２）データバースト：送信器は、データバースト割当ＩＥに従って割り当てられたリソースを用いてデータバーストを送信する。
（３）受信されたデータバーストに対するＨＡＲＱフィードバック：受信器は、受信したデータバーストでエラーが発見されたか否かに従って肯定信号（Acknowledgement：ＡＣＫ）又は否定信号（Negative-acknowledgement：ＮＡＣＫ）を送信する。
（４）ＨＡＲＱフィードバックに従うデータバーストの初期送信又は再送信：送信器は、ＮＡＣＫ信号の受信の際にデータバーストを再送信する。この際に、送信器は、再送信のためのリソース割当情報を追加で提供し得る。他方、ＡＣＫ信号の受信の際に、送信器は、新たなデータバーストを初期に送信し得る。
【００２８】
ＨＡＲＱ方式は、非同期式（asynchronous）ＨＡＲＱと、同期式（synchronous）ＨＡＲＱとに区分し得る。非同期式ＨＡＲＱの場合には、（１）、（２）、及び（３）として特定されたＨＡＲＱ動作タイミング構造の定義が必要であり、他方、同期式ＨＡＲＱの場合には、（１）乃至（４）として特定されたＨＡＲＱ動作タイミング構造の定義が必要である。このようなＨＡＲＱ動作タイミング構造の定義のためには、ＤＬ期間内の少なくとも１つのＤＬサブフレームは、ＵＬ期間内の少なくとも１つのＵＬサブフレームとの所定の対応関係が必要である。
【００２９】
以下、ＦＤＤモード及びＴＤＤモードでのＨＡＲＱ動作タイミングについて具体的に説明する。
【００３０】
図３は、本発明の実施形態によるＦＤＤ方式のＤＬデータバースト送信のためのＨＡＲＱ動作タイミング構造を示す図である。図３に示すように、ＦＤＤ方式のＤＬデータバースト送信のためのＨＡＲＱ動作タイミング構造は、図１に示したＦＤＤフレーム構造に基づいて設計される。ここで、スーパーフレーム当たりのフレームの個数Ｎが４であり、フレーム当たりのサブフレームの個数Ｆが８であり、データバーストに対する送信／受信処理時間（Tx/Rx processing time）が３個のサブフレームであり、ＤＬ  ＨＡＲＱフィードバックオフセットｚが０であり、ＤＬ  ＨＡＲＱ送信オフセットｕが０であると仮定する。ここで、Ｔｘ処理時間は、送信器がＨＡＲＱフィードバックを受信した後から次のデータを送信するのにかかる時間として定義され、Ｒｘ処理時間は、受信器がデータを受信した後にＨＡＲＱフィードバックを送信するのにかかる時間として定義される。
【００３１】
図３を参照すると、送信器は、＃ｉフレーム（すなわち、ｉ番目のフレーム）の＃ｌ  ＤＬサブフレーム（すなわち、１番目のＤＬサブフレーム）３００でＤＬ周波数帯域を通してデータバースト割当情報及びＤＬデータバーストを送信する。その後に、受信器は、＃ｉフレームの＃５  ＵＬサブフレーム３１０でＵＬ周波数帯域を通してＤＬデータバーストのためのＨＡＲＱフィードバックを送信する。ＨＡＲＱフィードバックがＮＡＣＫ信号である場合に、送信器は、ＤＬ周波数帯域を通して＃（ｉ＋１）フレームの＃１  ＤＬサブフレーム３２０でデータバーストを再送信する。この再送信されたデータバーストのために、受信器は、＃（ｉ＋１）フレームの＃５  ＵＬサブフレーム３３０でＵＬ周波数帯域を通してＨＡＲＱフィードバックを送信する。
【００３２】
下記表１を参照して上述したＨＡＲＱ動作を説明すると、ＨＡＲＱフィードバックを運搬するサブフレームのインデックスｎは、５であり、｛ｃｅｉｌ（１＋４）  ｍｏｄ  ８｝を計算することにより決定され、ＨＡＲＱフィードバックを運搬するフレームのインデックスｊは、ｉであり、｛ｉ＋ｆｌｏｏｒ（ｃｅｉｌ（１＋４）／８）＋０}  ｍｏｄ  ４を計算することにより決定され、再送信ＨＡＲＱデータバーストを運搬するフレームのインデックスｋは、ｉ＋１であり、｛ｊ＋ｆｌｏｏｒ（（５＋４）／８）＋０｝  ｍｏｄ  ４を計算することにより決定される。“ｃｅｉｌ”は、演算された値の中で小数点以上の値を切り上げる関数であり、“ｆｌｏｏｒ”は、演算された値の中で少数点以下の値を切り捨てる。
【００３３】
表１は、本発明の実施形態によるＦＤＤ方式のＤＬ  ＨＡＲＱ動作タイミング構造を示す。下記表１は、データバースト割当情報を有する割当Ａ−ＭＡＰ、データバーストを運搬するＨＡＲＱサブパケット、ＨＡＲＱフィードバック（ＡＣＫ又はＮＡＣＫ）、及びＨＡＲＱ再送信サブパケットの中の少なくとも１つの送信時点を決定するために使用され得る。しかしながら、下記表１が本発明を限定するものと解釈されてはいけないことはもちろんである。
【００３４】
【表１】
0005336612.tif 000002
【００３５】
上述した表１において、Ｎは、スーパーフレーム当たりのフレームの個数を意味する。各スーパーフレームが４個のサブフレームを含む場合に、Ｎは４である。Ｆは、１つのフレーム当たりのサブフレームの個数を意味する。例えば、５、１０、及び２０ＭＨｚの帯域幅の場合に、Ｎ＝４及びＦ＝８である。ｉ、ｊ、及びｋは、ＤＬフレームインデックス又はＵＬフレームインデックスを意味する。ｌは、データバースト割当情報を運搬するＤＬサブフレームのインデックスを意味し、ｍは、初期送信データバーストを運搬するＤＬサブフレームのインデックスを意味し、ｎは、受信したデータバーストに対するＨＡＲＱフィードバックを運搬するＵＬサブフレームのインデックスを意味する。また、ｚは、ＤＬ  ＨＡＲＱフィードバックオフセットを意味し、ｕは、ＤＬ  ＨＡＲＱ  Ｔｘオフセットを意味する。ここで、ｚ及びｕは、フレームの個数として示す。したがって、ｉ＝０，１，．．．，Ｎ−１、ｊ＝０，１，．．．，Ｎ−１、ｌ＝０，ＮＡ−ＭＡＰ，．．．，ＮＡ−ＭＡＰ（ｃｅｉｌ（Ｆ／ＮＡ−ＭＡＰ）−１）、ｎ＝０，１，．．．，Ｆ−１、ｍ＝０，１，．．．，Ｆ−１、ｚ＝０，１，．．．，Ｚｍａｘ−１、及びｕ＝０，１，．．．，ｕｍａｘ−１である。
【００３６】
ＮＡ−ＭＡＰは、データバースト割当情報を送信する期間を意味し、サブフレームの個数として表現される。このデータバースト割当情報は、通常のＭＡＰメッセージ又はＡ−ＭＡＰメッセージを通して伝達される。このデータバースト割当情報がＤＬサブフレームごとに送信される場合に、ＮＡ−ＭＡＰ＝１である。このデータバースト割当情報が２つのＤＬサブフレームごとに送信される場合に、ＮＡ−ＭＡＰ＝２である。この場合に、ｌ＝０，２，．．．，２（ｃｅｉｌ（Ｆ／２）−１）である。
【００３７】
図３に示すＦＤＤ方式のＤＬ  ＨＡＲＱ送受信の場合に、Ｆ＝８、Ｎ＝４、ｚ＝０、及びｕ＝０である。＃ｉフレームの＃ｌ  ＤＬサブフレーム３００で送信されるＤＬデータバースト割当情報は、＃ｉフレームの＃ｍ  ＤＬサブフレームを示す。データバースト割当情報がＤＬサブフレームごとに送信される場合に（すなわち、ＮＡ−ＭＡＰ＝１）、このデータバース割当情報は、ＤＬサブフレームで開始されるデータバースト送信を示す。すなわち、ｍ＝ｌである。他方、データバースト割当情報が２つのＤＬサブフレームごとに送信される場合に（すなわち、ＮＡ−ＭＡＰ＝２）、＃ｌ  ＤＬサブフレーム内のデータバースト割当情報は、＃ｌ又は＃（ｌ＋１）ＤＬサブフレームで開始されるデータバースト送信を示す。すなわち、ｍは、ｌ又は（ｌ＋１）である。ｌ又は（ｌ＋１）を示す関連情報は、このデータバースト割当情報内に含まれる。
【００３８】
このデータバースト割当情報により示されたデータバーストは、１つ以上のサブフレームを占め得る。＃ｍ  ＤＬサブフレームで開始されるデータバーストの送信時間間隔（Transmission Time Interval：ＴＴＩ）は、ＮＴＴＩで示す。すなわち、ＮＴＴＩは、このデータバーストが占有（span）するサブフレームの個数を意味する。例えば、ＮＴＴＩは、予め設定されるか又はこのデータバースト割当情報によりシグナリングされ得る。このデータバーストが１つのサブフレームを占有する場合には、ＮＴＴＩ＝１であり、このデータバーストが４個のサブフレームを占有する場合には、ＮＴＴＩ＝４である。
【００３９】
＃ｉフレームの＃ｍ  ＤＬサブフレームで送信が開始されるデータバーストに対するＨＡＲＱフィードバックは、＃ｊフレームの＃ｎ  ＵＬサブフレームで送信される。ここで、このデータバーストを運搬するサブフレームのインデックスｍに従って、ｎは、下記数式１のように定められる。
【００４０】
【数１】
0005336612.tif 000003
【００４１】
ＨＡＲＱフィードバックを運搬するＵＬフレームのインデックスｊは、データバーストのサブフレームインデックスｍ及びフレームインデックスｉに従って決定される。この際に、フレームオフセットは、データバースト送信の完了及びＨＡＲＱフィードバックの送信時間間の時間ギャップ（time gap）により発生する。ここで、Ｇａｐ１として示される時間ギャップは、下記数２により計算される。
【００４２】
【数２】
0005336612.tif 000004
【００４３】
ここで、ＮＴＴＩは、ＤＬ  ＨＡＲＱ動作でのデータバーストのＴＴＩを示し、サブフレームの個数として表現され、Ｆは、フレーム当たりのサブフレームの個数を示す。
【００４４】
ＦＤＤシステムでは、リンク期間が連続的であり、Ｇａｐ１は、サブフレームインデックスに関係なしにＤＬバーストのＴＴＩ及びフレーム当たりのサブフレームの個数に従って決定される。
【００４５】
ＤＬ  ＨＡＲＱにおいて、ＤＬ  ＨＡＲＱフィードバックオフセットｚは、数式２のように説明されたＧａｐ１がＲｘ処理時間より大きいか又は同一であるように設定される。例えば、Ｇａｐ１がＲｘ処理時間より大きいか又は同一である場合に、ｚ＝０であり、他方、Ｇａｐ１がＲｘ処理時間より小さい場合には、ｚ＝１である。ここで、ｚの値は、ＨＡＲＱフィードバックが遅延したフレーム内の同一のインデックスを有するサブフレームで送信されるように調整される。実際に、ｚは、フレームの個数として表されるオフセットであり、これは、ＨＡＲＱフィードバックを運搬するサブフレームのインデックスが変更されることを意味しない。
【００４６】
ｚがこのように決定されると、ｊは、下記数式３のようである。
【００４７】
【数３】
0005336612.tif 000005
【００４８】
ＤＬデータバーストが非同期式ＨＡＲＱで再送信される場合に、ＤＬデータバーストの再送信時点は、データバースト割当情報に含まれる再送信指示子により示される。一方、ＤＬデータバーストが同期式ＨＡＲＱで再送信される場合に、ＤＬデータバーストの再送信は、＃ｋフレームの＃ｍサブフレームで実行される。上述した表１を参照すると、フレームインデックスｋは、ＨＡＲＱフィードバックを運搬するフレームのインデックスｊに基づいて決定され、再送信データバーストを運搬するサブフレームのインデックスｍは、データバーストの以前の送信に対するサブフレームのインデックスと同一である。この際に、フレームオフセットは、ＨＡＲＱフィードバックの送信時点とデータバーストの再送信時点間の時間ギャップにより発生する。Ｇａｐ２として示される時間ギャップは、下記数式４により定められる。
【００４９】
【数４】
0005336612.tif 000006
【００５０】
ここで、ＮＣＴＲＬ，ＴＴＩは、ＤＬ  ＨＡＲＱ動作によるＨＡＲＱフィードバックのＴＴＩを示し、Ｆは、フレーム当たりのサブフレームの個数を示す。ＦＤＤシステムでは、リンク期間が連続的であるため、Ｇａｐ２は、サブフレームインデックスに関係なくＵＬ  ＨＡＲＱフィードバックのＴＴＩ及びフレーム当たりのサブフレームの個数により決定される。一般的に、ＨＡＲＱフィードバックは、１つのサブフレームを占有する。
【００５１】
ＤＬ  ＨＡＲＱにおいて、ＤＬ  ＨＡＲＱ  Ｔｘオフセットｕは、上述した数式４のＧａｐ２がＴｘ処理時間より大きいか又は同一であるように設定される。例えば、Ｇａｐ２がＴｘ処理時間より大きいか又は同一である場合に、ｕ＝０であり、他方、Ｇａｐ２がＴｘ処理時間より小さい場合には、ｕ＝１である。ここで、ｕの値は、次のＨＡＲＱデータが遅延したフレームで送信されるように調整される。実際に、ｕは、フレームの個数として表されるオフセットであり、これは、ＨＡＲＱデータを運搬するサブフレームのインデックスが変更されることを意味しない。
【００５２】
ｕがこのように決定されると、ｋは、下記数式５のようになる。
【００５３】
【数５】
0005336612.tif 000007
【００５４】
上述したように、送信信号の処理に必要な時間が確保されない場合に、ＨＡＲＱ再送信時点は、１つのフレームだけ遅延し得る（すなわち、ｕ＝１）。ここで、‘時間が十分である。’というものは、信号送信処理に必要な時間（Ｔｘ処理時間）及び信号受信処理に必要な時間（Ｒｘ処理時間）が既知の基準値を超過することを示す。ここで、この基準値は、初期に設定されるか又はシステムによりブロードキャストされる。
【００５５】
このフレームインデックスｊ及びｋがスーパーフレーム当たりのフレームの個数Ｎより大きいか又は同一である場合に、スーパーフレームのインデックスは、１だけ増加し、フレームインデックスｊ及びｋは、数式３及び数式５のモジュロ（modulo）を演算することにより得られた値である。図１及び図２を参照すると、Ｎ＝４であると見なされ得る。
【００５６】
上述した数式２及び数式４を参照すると、ＦＤＤでＤＬ  ＨＡＲＱフィードバックオフセットｚ及びＤＬ  ＨＡＲＱ  Ｔｘオフセットｕは、ＨＡＲＱ動作のＴＴＩ（データバーストのＴＴＩ又はフィードバック）、システム（送信器及び受信器）の信号処理能力に従って決定され得る。この信号処理能力に関する情報は、予め設定されるか又はシステムによりブロードキャストされ得る。他の実施形態として、ｚ及びｕは、システム運用方式に従ってシステム構成情報でブロードキャストされ得る。
【００５７】
図４は、本発明の実施形態によるＦＤＤ方式のＵＬデータバースト送信のためのＨＡＲＱ動作タイミング構造を示す図である。ここで、スーパーフレーム当たりのフレームの個数Ｎが４であり、フレーム当たりのサブフレームの個数Ｆが８であり、Ｔｘ／Ｒｘ処理時間が３個のサブフレームであると仮定すると、ＵＬ  ＨＡＲＱフィードバックオフセットｗは０であり、ＵＬ  ＨＡＲＱ  Ｔｘオフセットｖは０である。
【００５８】
図４を参照すると、＃ｉフレームの＃１  ＤＬサブフレーム４００でＤＬ周波数帯域を通してデータバースト割当情報を受信する際に、送信器は、＃ｉフレームの＃５  ＵＬサブフレーム４１０でＵＬ周波数帯域を通してＵＬデータバーストを送信する。受信器は、受信したデータバーストがエラーを有するか否かに従って、＃（ｉ＋１）フレームの＃１  ＤＬサブフレーム４２０でＤＬ周波数帯域を通してＨＡＲＱフィードバックを送信する。ＨＡＲＱフィードバックがＮＡＣＫ信号である場合に、送信器は、＃（ｉ＋１）フレームの＃５  ＵＬサブフレーム４３０でＵＬ周波数帯域を通してデータバーストを再送信する。この際に、ＤＬサブフレーム４２０がＵＬバースト再送信を示すデータバースト割当情報を運搬する場合に、ＵＬデータバースト再送信は、データバースト割当情報に従って実行される。
【００５９】
上述したＨＡＲＱ動作を下記の表２を参照して説明すると、ＵＬデータバーストを運搬するフレームのインデックスｊは、ｉであり、｛ｉ＋ｆｌｏｏｒ（ｃｅｉｌ（１＋４）／８）＋０｝  ｍｏｄ  ４により決定され、ＵＬデータバーストを運搬するサブフレームのインデックスｍは、５であり、{ｃｅｉｌ（１＋４）  ｍｏｄ  ８}により決定され、ＨＡＲＱフィードバックを運搬するフレームのインデックスｋは、ｉ（ｊ＝ｉ）＋１であり、｛ｊ＋ｆｌｏｏｒ（（５＋４）／８）＋０｝  ｍｏｄ  ４を計算することにより決定される。ＨＡＲＱフィードバックを運搬するサブフレームのインデックスは、１である。ＨＡＲＱフィードバックがＮＡＣＫ信号である場合に、再送信ＨＡＲＱデータバーストを運搬するフレームのインデックスは、ｉ＋１であり、（ｋ＋ｆｌｏｏｒ（ｃｅｉｌ（１＋４）／８）＋０）  ｍｏｄ  ４により決定され、再送信ＨＡＲＱデータバーストを運搬するサブフレームのインデックスｍは、５である。下記の表２は、本発明の実施形態によるＦＤＤ方式のＵＬ  ＨＡＲＱ動作タイミング構造を示す。下記の表２は、データバースト割当情報を有する割当Ａ−ＭＡＰ、データバーストを運搬するＨＡＲＱサブパケット、ＨＡＲＱフィードバック（ＡＣＫ又はＮＡＣＫ）、及びＨＡＲＱ再送信サブパケットの中の少なくとも１つの送信時点を決定するために使用され得る。しかしながら、下記表２は、本発明を限定するものと解釈されてはいけないことを理解すべきである。
【００６０】
【表２】
0005336612.tif 000008
【００６１】
表２において、Ｎは、スーパーフレーム当たりのフレームの個数を示す。各スーパーフレームが４個のフレームを含む場合に、Ｎは、４である。Ｆは、フレーム当たりのサブフレームの個数を示す。ｉ、ｊ、ｋ、及びｐは、ＤＬフレームインデックス又はＵＬフレームインデックスを示す。ｌは、データバースト割当情報を運搬するＤＬサブフレームのインデックスを示し、ｍは、データバーストの送信が開始されるＵＬサブフレームのインデックスを示し、ｗは、ＵＬ  ＨＡＲＱフィードバックオフセットを示し、ｖは、ＵＬ  ＨＡＲＱ  Ｔｘオフセットを示す。ここで、ｗ及びｖは、フレームの個数として示される。したがって、ｉ＝０，１，．．．，Ｎ−１、ｊ＝０，１，．．．，Ｎ−１、ｋ＝０，１，．．．，Ｎ−１、ｐ＝０，１，．．．，Ｎ−１、ｌ＝０，ＮＡ−ＭＡＰ，．．．，ＮＡ−ＭＡＰ（ｃｅｉｌ（Ｆ／ＮＡ−ＭＡＰ）−１）、ｍ＝０，１，．．．，Ｆ−１、ｎ＝０，１，．．．，Ｆ−１、ｗ＝０，１，．．．，ｗｍａｘ−１、及びｖ＝０，１，．．．，ｖｍａｘ−１である。
【００６２】
ＮＡ−ＭＡＰは、サブフレームの個数として表現されるデータバースト割当情報を送信する期間を示す。このデータバースト割当情報がＤＬサブフレームごとに送信される場合に、ＮＡ−ＭＡＰ＝１である。このデータバースト割当情報が２つのＤＬサブフレーム間隔ごとに送信される場合に、ＮＡ−ＭＡＰ＝２である。この場合に、ｌ＝０，２，．．．，２（ｃｅｉｌ（Ｆ／２）−１）である。
【００６３】
ＦＤＤ方式のＵＬ  ＨＡＲＱ送受信において、＃ｉフレームの＃ｌ  ＤＬサブフレームで送信されるＵＬデータバースト割当情報は、＃ｊフレームの＃ｍ  ＵＬサブフレームで開始されるデータバースト送信を示す。データバースト割当情報がＤＬサブフレームごとに送信される場合に（すなわち、ＮＡ−ＭＡＰ＝１）、このデータバースト割当情報は、＃ｎ  ＵＬサブフレームで開始されるデータバースト送信を示す。すなわち、ｍ＝ｎである。他方、データバースト割当情報が２つのＤＬサブフレームごとに送信される場合に（すなわち、ＮＡ−ＭＡＰ＝２）、＃ｌ  ＤＬサブフレーム内のデータバースト割当情報は、＃ｎ  ＵＬサブフレーム及び＃（ｎ＋１）  ＵＬサブフレームで開始されるデータバースト送信を示す。すなわち、ｍは、ｎ又は（ｎ＋１）である。ｎ又は（ｎ＋１）を示す関連（relevance）情報は、データバースト割当情報内に含まれる。ここで、ｎは、ｎ＝ｃｅｉｌ（ｌ＋Ｆ／２）ｍｏｄ  Ｆのように定められる。
【００６４】
データバースト割当情報により示されるデータバーストは、１つ以上のＵＬサブフレームを通して送信され得る。データバーストのＴＴＩは、ＮＴＴＩで示す。ＮＴＴＩは、データバースト割当情報によりシグナリングされる。
【００６５】
＃ｊフレームの＃ｍ  ＵＬサブフレームで送信が開始されたデータバーストに対するＨＡＲＱフィードバックは、＃ｋフレームの＃ｌ  ＤＬサブフレームで送信される。すなわち、このデータバースト割当情報及びＨＡＲＱフィードバックは、同一のインデックスを有するサブフレームで送信される。サブフレームインデックスｍ及びフレームインデックスｊに従って、フレームインデックスｋは、表２で説明したように決定される。
【００６６】
表２で説明したＵＬ  ＨＡＲＱ  Ｔｘオフセットｖ及びＵＬ  ＨＡＲＱフィードバックオフセットｗは、数式２及び数式４を用いて算出され得る。ＵＬ  ＨＡＲＱ  Ｔｘオフセットｖは、データバースト割当情報又はＨＡＲＱフィードバックを受信した場合に、バースト送信又は再送信のために考慮される。
【００６７】
ＵＬデータバーストが非同期式ＨＡＲＱで再送信される場合に、ＵＬデータバーストの再送信時点は、このデータバースト割当情報の位置及びこのデータバースト割当情報内に含まれた再送信指示子により示される。一方、ＵＬデータバーストが同期式ＨＡＲＱを考慮して再送信される場合に、ＵＬデータバーストの再送信は、＃ｐフレームの＃ｍサブフレームで実行される。表２を参照すると、フレームインデックスｐは、サブフレームインデックスｌ及びフレームインデックスｋに従って決定される。
【００６８】
ＵＬ  ＨＡＲＱ  Ｔｘオフセットｖは、ＤＬバースト割当情報又はＤＬ  ＨＡＲＱフィードバックの送信時点とＵＬデータバーストの送信時点間のフレームの個数として表現される時間間隔を示す。数式２において、ＵＬ  ＨＡＲＱ  Ｔｘオフセットｖは、ＤＬデータバーストのＴＴＩであるＮＴＴＩの代わりに、このデータバースト割当情報のＴＴＩ又はＨＡＲＱフィードバックのＴＴＩを適用することにより算出されるＧａｐ１’を考慮して決定される。一般的に、このデータバースト割当情報又はＨＡＲＱフィードバックのＴＴＩは、１つのサブフレームである。
【００６９】
ＵＬ  ＨＡＲＱにおいて、ＵＬ  ＨＡＲＱ  Ｔｘオフセットｖは、上記の通りに計算されたＧａｐ１’がＴｘ処理時間より大きいか又は同一であるように設定される。例えば、Ｇａｐ１’がＴｘ処理時間より大きいか又は同一である場合には、ｖ＝０であり、他方、Ｇａｐ１’がＴｘ処理時間より小さい場合には、ｖ＝１である。
【００７０】
ＵＬ  ＨＡＲＱフィードバックオフセットｗは、ＵＬデータバースト送信の完了とＵＬデータバーストのＤＬ  ＨＡＲＱフィードバックの送信時点間の時間間隔を示し、フレームの個数として表現される。数式４において、ＵＬ  ＨＡＲＱフィードバックオフセットｗは、ＤＬ  ＨＡＲＱ動作に対するＨＡＲＱフィードバックのＴＴＩの代わりに、ＵＬデータバーストのＴＴＩを適用することにより計算されたＧａｐ２’を考慮して決定される。
【００７１】
ＵＬ  ＨＡＲＱにおいて、ｗは、Ｇａｐ２’がＲｘ処理時間より大きいか又は同一であるように設定される。例えば、Ｇａｐ２’がＲｘ処理時間より大きいか又は同一である場合には、ｗ＝０であり、他方、Ｇａｐ２’がＲｘ処理時間より小さい場合には、ｗ＝１である。
【００７２】
上述したように、ＵＬ  ＨＡＲＱ  Ｔｘオフセットｖ及びＵＬ  ＨＡＲＱフィードバックオフセットｗは、ＦＤＤでＨＡＲＱ動作のＴＴＩ（データバーストのＴＴＩ又はフィードバック）及びシステム（送信器及び受信器）の信号処理能力に従って決定される。この信号処理能力に関する情報は、予め設定されるか又はシステムによりブロードキャストされ得る。他の実施形態として、所定の値がシステム運用方式に従ってシステム構成情報を通してｗ及びｖとしてブロードキャストされ得る。上述した表２において、このフレームインデックスｊ、ｋ、及びｐがＮより大きいか又は同一である場合に、スーパーフレームインデックスｓは、１だけ増加し、フレームインデックスｊ、ｋ、及びｐは、表２で説明したモジュロ演算を行うことにより得られた値である。
【００７３】
ＴＤＤモードにおいて、各フレームは、ＤＬサブフレーム及びＵＬサブフレームを含む。本発明の実施形態では、任意の規則でＤＬサブフレームをＵＬサブフレームにマッピングすることにより、より少ない個数のサブフレームを有するリンクに基づいてより多い個数のサブフレームを有するリンクを分割する。このリンク分割による各領域は、１つ又はそれ以上のサブフレームを含み、より少ない個数のサブフレームを有するリンクの１つのサブフレームにマッピングされる。すなわち、Ｍ個のサブフレームは、Ｎ個の領域に分割され（Ｍ＞Ｎ）、各サブフレームは、本発明の実施形態による所定のマッピング関係を有する。このマッピング関係に関する詳細な説明は、後述する。
【００７４】
図５は、本発明の実施形態による５：３  ＴＤＤモードのＤＬ  ＨＡＲＱ動作タイミング構造を示す図である。ＤＬ  ＨＡＲＱ動作タイミング構造は、図２に示すようなＴＤＤフレーム構造に基づいて構成される。
【００７５】
図５を参照すると、送信器は、＃ｉフレームの＃１  ＤＬサブフレーム５００でデータバースト割当情報及びＤＬデータバーストを送信し、受信器は、＃ｉフレームの＃０  ＵＬサブフレーム５１０でＤＬデータバーストに対するＨＡＲＱフィードバックを送信する。送信器は、ＨＡＲＱフィードバックがＮＡＣＫ信号である場合に、＃（ｉ＋１）フレームの＃１  ＤＬサブフレーム５２０でこのデータバーストを再送信する。この際に、＃１  ＤＬサブフレーム５２０において、ＤＬデータバースト送信を示すデータバースト割当情報が送信され得る。この再送信されたデータバーストに対して、受信器は、＃（ｉ＋１）フレームの＃０  ＵＬサブフレーム５３０でＨＡＲＱフィードバックを送信する。
【００７６】
上記では、ＤＬサブフレーム及びＵＬサブフレームがＤＬ及びＵＬ期間で個別にインデキシングされると説明したが、ＤＬ及びＵＬサブフレームは、１つのフレーム内で連続してインデキシングされ得る。この場合に、ＵＬサブフレームインデックスｘは、フレーム内のサブフレームインデックスＤ＋ｘに置き換えられる。ここで、Ｄは、ＤＬ期間の持続期間（デュレーション）を示す。
【００７７】
上記のＨＡＲＱ動作は、下記の表３を参照して説明する。表３は、本発明の一実施形態に従って、ＤＬ：ＵＬ＝Ｄ：Ｕモードの場合にＤＬ  ＨＡＲＱ動作タイミング構造を示す。ここで、Ｄは、ＤＬ期間のデュレーション（すなわち、ＤＬサブフレームの個数）を示し、Ｕは、ＵＬ期間のデュレーション（すなわち、ＵＬサブフレームの個数）を示す。下記の表３は、データバースト割当情報を有する割当Ａ−ＭＡＰ  ＩＥ、データバーストを運搬するＨＡＲＱサブパケット、ＨＡＲＱフィードバック（ＡＣＫ又はＮＡＣＫ）、及びＨＡＲＱ再送信サブパケットの中の少なくとも１つの送信時点を決定するために使用され得る。しかしながら、下記の表３が本発明を限定するものと解釈されてはいけないことを理解すべきである。
【００７８】
【表３】
0005336612.tif 000009
【００７９】
上述した表３において、Ｄは、ＤＬフレーム当たりのＤＬサブフレームの個数を示し、Ｕは、ＵＬフレーム当たりのＵＬサブフレームの個数を示し、Ｎは、スーパーフレーム当たりのフレームの個数を示す。各スーパーフレームが４個のフレームを含む場合に、Ｎは、４である。Ｆは、フレーム当たりのサブフレームの個数を示し、したがって、Ｆ＝Ｄ＋Ｕである。ｉ、ｊ、及びｋは、フレームインデックスを示す。ｌは、データバースト割当情報を運搬するＤＬサブフレームのインデックスを示し、ｍは、ＤＬデータバースト送信が開始されるサブフレームのインデックスを示し、ｎは、ＤＬデータバーストに対するＨＡＲＱフィードバックを運搬するサブフレームのインデックスを示す。また、ｚは、ＤＬ  ＨＡＲＱフィードバックオフセットを示し、ｕは、ＤＬ  ＨＡＲＱ  Ｔｘオフセットを示す。したがって、ｊ＝０，１，．．．，Ｎ−１、ｋ＝０，１，．．．，Ｎ−１、ｌ＝０，ＮＡ−ＭＡＰ，．．．，ＮＡ−ＭＡＰ（ｃｅｉｌ（Ｄ／ＮＡ−ＭＡＰ）−１）、ｍ＝０，１，．．．，Ｄ−１、ｎ＝０，１，．．．，Ｕ−１、ｚ＝０，１，．．．，ｚｍａｘ−１、及びｕ＝０，１，．．．，ｕｍａｘ−１である。
【００８０】
ＮＡ−ＭＡＰは、データバースト割当情報を送信する期間を示す。このデータバースト割当情報がＤＬサブフレームごとに送信される場合に、ＮＡ−ＭＡＰは、１であり、ｌは、０からＤ−１までの範囲を有する。このデータバースト割当情報が２つのＤＬサブフレーム間隔で送信される場合に、ＮＡ−ＭＡＰ＝２である。この場合に、ｌ＝０，２，．．．，２（ｃｅｉｌ（Ｆ／２）−１）である。
【００８１】
パラメータＫは、ＤとＵ間の関係に従って定義される。例えば、Ｋは、数式６または数式７のように定義される。システムで考慮されるシステム帯域幅、処理期間、データバースト割当情報の送信期間ＮＡ−ＭＡＰに基づいて、Ｋは、Ｋｃ又はＫｆとなる。ここで、Ｋｃは、シーリング関数ｃｅｉｌ（  ）を使用して計算された値を意味し、Ｋｆは、フロア関数ｆｌｏｏｒ（  ）を使用して計算された値を意味する。Ｋ値の決定は、システム構成により異なる。一般的に、ＫがＫｆであるが、Ｋｃは、Ｆが奇数であり、Ｄ＜Ｕ／ＮＡ−ＭＡＰである条件の下に使用され得る。
【００８２】
【数６】
0005336612.tif 000010
【００８３】
【数７】
0005336612.tif 000011
【００８４】
ＤがＵより大きいかまたは同一である場合に、Ｋｃ及びＫｆは、０又は正の値を有し、そうでない場合には、負の値を有する。
【００８５】
一般的に、Ｆが偶数である場合には、ｃｅｉｌ（  ）及びｆｌｏｏｒ（  ）関数は、同一の方式で演算を実行し、したがって、Ｋｃ及びＫｆは、同一の値を有する。他の実施形態に従って、Ｋは、次のように設定され得る。Ｄ＜Ｕである場合には、Ｋ＝−ｃｅｉｌ{（Ｕ−Ｄ）／２}であり、Ｄ≧Ｕである場合には、Ｋ＝ｆｌｏｏｒ{（Ｄ−Ｕ）／２}である。
【００８６】
ＴＤＤモードのＤＬ  ＨＡＲＱ送受信において、＃ｉフレームの＃ｌ  ＤＬサブフレームで送信されるＤＬデータバースト割当情報は、＃ｉフレームの＃ｍ  ＤＬサブフレームで開始されるデータバースト送信を示す。データバースト割当情報がＤＬサブフレームごとに送信される場合に（すなわち、ＮＡ−ＭＡＰ＝１）、このデータバースト割当情報は、ＤＬサブフレームで開始されるデータバースト送信を示す。すなわち、ｍ＝１である。他方、データバースト割当情報が２つのＤＬサブフレームごとに送信される場合に（すなわち、ＮＡ−ＭＡＰ＝２）、＃ｌ  ＤＬサブフレーム内のデータバースト割当情報は、＃ｌ  ＤＬサブフレームまたは＃（ｌ＋１）ＤＬサブフレームで開始されるデータバースト送信を示す。すなわち、ｍは、ｌまたは（ｌ＋１）である。ｌまたは（ｌ＋１）を示す関連情報は、このデータバースト割当情報に含まれる。
【００８７】
このデータバースト割当情報により示されたデータバーストは、１つ以上のＤＬサブフレームを占有し得る。
【００８８】
＃ｉフレームの＃ｍ  ＤＬサブフレームで送信が開始されたデータバーストに対するＨＡＲＱフィードバックは、＃ｊフレームの＃ｎ  ＵＬサブフレームで送信される。ここで、ＤＬ：ＵＬ（Ｄ：Ｕ）の比率に従って、ｎは、１つ以上のＤＬサブフレームインデックスにマッピングされ得る。Ｄ≦Ｕである場合に、各ＵＬサブフレームは、１つのＤＬサブフレームにマッピングされる。他方、Ｄ＞Ｕである場合に、各ＵＬサブフレームは、１つ以上のＤＬサブフレームにマッピングされる。表３で定義したように、このサブフレームインデックスｎは、Ｋ及びｍに従って決定され、このフレームインデックスｊは、ｉ及びｚに従って決定される。すなわち、表３は、ＤＬ：ＵＬの比率に従って１つのフレーム内でＤＬサブフレームインデックスとＵＬサブフレームインデックス間の任意のマッピング関係を定義する。表１は、Ｄ＝Ｕの場合がＤ≦Ｕの場合に含まれることを示す。他の実施形態において、Ｄ＝Ｕの場合にＫ＝０であるので、Ｄ＝Ｕの場合は、Ｄ≦Ｕの場合だけではなくＤ≧Ｕの場合にも含まれ得る。本明細書は、Ｄ＝Ｕの場合がＤ≦Ｕに含まれる場合のＨＡＲＱタイミングについて説明する。
【００８９】
表１のＦＤＤ  ＤＬ  ＨＡＲＱタイミング構造を参照して説明したように、ｚは、ＤＬ  ＨＡＲＱフィードバックオフセットを示す。十分なＲｘ処理時間を確保するために、ｚは、ＨＡＲＱフィードバックを運搬するフレームのインデックスを調整するために使用される。ＤＬサブフレームが時間軸に沿って１つのフレーム内でＵＬサブフレームと交互に位置するので、下記の数式８により計算されるＧａｐ３は、ＤＬ  ＨＡＲＱフィードバックオフセットｚを決定するために使用される。
【００９０】
【数８】
0005336612.tif 000012
【００９１】
ここで、ＭＤＡＴＡは、データバーストを運搬するサブフレームの個数を示し、ａは、データバーストの送信が開始されるサブフレームのインデックスを示し、ＮＴＴＩは、データバーストのＴＴＩを示し、ｂは、データバーストに対するＨＡＲＱフィードバックを運搬するサブフレームのインデックスを示す。したがって、表３を適用すると、ＭＤＡＴＡ＝Ｄ、ａ＝ｍ、及びｂ＝ｎである。
【００９２】
ＴＤＤモードのＤＬ  ＨＡＲＱにおいて、ＤＬ  ＨＡＲＱフィードバックオフセットｚは、数式８で説明したＧａｐ３がＲｘ処理時間より大きいか又は同一であるように調整される。例えば、Ｇａｐ３がＲｘ処理時間より大きいか又は同一である場合には、ｚ＝０であり、他方、Ｇａｐ３がＲｘ処理時間より小さい場合には、ｚ＝１である。
【００９３】
ＤＬデータバーストが非同期式ＨＡＲＱで再送信される場合に、ＤＬデータバーストの再送信は、データバースト割当情報に含まれた再送信指示子により示される。一方、ＤＬデータバーストが同期式ＨＡＲＱで再送信される場合に、ＤＬデータバーストの再送信は、＃ｋフレームの＃ｍサブフレームで実行される。表３を参照すると、フレームインデックスｋは、ＨＡＲＱフィードバックを運搬するフレームのインデックス及びＤＬ  ＨＡＲＱ  Ｔｘオフセットｕにより決定される。また、ＤＬデータバーストの再送信を示すデータバースト割当情報が送信される場合に、この再送信は、このデータバースト割当情報に基づいて行われる。
【００９４】
表１のＦＤＤ  ＤＬ  ＨＡＲＱタイミング構造を参照して上述したように、ｕは、ＤＬ  ＨＡＲＱ  Ｔｘオフセットを示し、数式９により計算されるＧａｐ４に従って決定される。Ｇａｐ４は、ＴＤＤモードでＨＡＲＱフィードバックの送信時点とデータ再送信の開始時点間の時間ギャップを示す。
【００９５】
【数９】
0005336612.tif 000013
【００９６】
ここで、ＭＣＴＲＬは、ＨＡＲＱフィードバックを運搬するサブフレームの個数を示し、ｂは、ＨＡＲＱフィードバックを運搬するサブフレームのインデックスを示し、ａは、ＨＡＲＱフィードバックの後にデータバーストの再送信が開始されるサブフレームのインデックスを示す。したがって、表３において、ＭＣＴＲＬ＝Ｕ、ｂ＝ｎ、及びａ＝ｍである。
【００９７】
ＴＤＤモードのＤＬ  ＨＡＲＱにおいて、ＤＬ  ＨＡＲＱ  Ｔｘオフセットｕは、数式９により計算されたＧａｐ４がＴｘ処理時間より大きいか又は同一であるように調整される。例えば、Ｇａｐ４がＴｘ処理時間より大きいか又は同一である場合に、ｕ＝０であり、他方、Ｇａｐ４がＴｘ処理時間より小さい場合に、ｕ＝１である。ここで、ｕ＝１である場合には、送信信号の処理のための十分な時間がないため、ＨＡＲＱ再送信時点は、１つのフレームだけ遅延する。
【００９８】
表３において、フレームインデックスｊ及びｋがスーパーフレーム当たりの全フレームの個数Ｎより大きいか又は同一である場合に、スーパーフレームインデックスｓは、１だけ増加し、フレームインデックスｊ及びｋは、表３に示すモジュロ演算を行うことにより得られた値である。
【００９９】
本発明の他の実施形態として、ＤＬ  ＨＡＲＱフィードバックオフセットｚ及びＤＬ  ＨＡＲＱ  Ｔｘオフセットｕは、ＤＬサブフレームとＵＬサブフレーム間のマッピング関係、ＨＡＲＱ動作のＴＴＩ（データバーストのＴＴＩ又はフィードバック）、及び／又はシステムの信号処理性能に従って決定される。
【０１００】
図６は、本発明の実施形態によるＴＤＤモードのＵＬデータバースト送信のためのＨＡＲＱ動作タイミング構造を示す図である。
【０１０１】
図６を参照すると、＃ｉフレームの＃１  ＤＬサブフレーム６００でデータバースト割当情報を受信すると、送信器は、＃ｉフレームの＃０  ＵＬサブフレーム６１０でＵＬデータバーストを送信する。受信器は、この受信したデータバーストがエラーを有するか否かに従って、＃（ｉ＋１）フレームの＃１  ＤＬサブフレーム６２０でＵＬデータバーストに対するＨＡＲＱフィードバックを送信する。ＨＡＲＱフィードバックがＮＡＣＫ信号である場合に、送信器は、＃（ｉ＋１）フレームの＃０  ＵＬサブフレーム６３０でデータバーストを再送信する。＃１  ＤＬサブフレーム６２０がＵＬデータバーストの再送信を示すデータバースト割当情報を運搬する場合に、ＵＬデータバースト再送信は、このデータバースト割当情報に従って実行される。
【０１０２】
上記では、ＤＬサブフレーム及びＵＬサブフレームがＤＬ及びＵＬ期間で個別にインデキシングされると説明したが、ＤＬ及びＵＬサブフレームは、１つのフレーム内で連続してインデキシングされ得る。この場合に、ＵＬサブフレームインデックスｘは、フレーム内のサブフレームインデックスＤ＋ｘに置き換えられる。ここで、Ｄは、ＤＬ期間のデュレーションを示す。
【０１０３】
表４は、本発明の実施形態によるＴＤＤモードのＵＬ  ＨＡＲＱ動作タイミング構造を示す。下記の表４は、データバースト割当情報を有する割当Ａ−ＭＡＰ、データバーストを運搬するＨＡＲＱサブパケット、ＨＡＲＱフィードバック（ＡＣＫ又はＮＡＣＫ）、及びＨＡＲＱ再送信サブパケットの中の少なくとも１つの送信時点を決定するために使用され得る。しかしながら、下記の表４が本発明を限定するものと解釈されてはいけない理解すべきである。
【０１０４】
【表４】
0005336612.tif 000014
【０１０５】
表４において、Ｄは、ＤＬフレーム当たりのＤＬサブフレームの個数を示し、Ｕは、ＵＬフレーム当たりのＵＬサブフレームの個数を示し、Ｋは、数式６又は数式７のように定義されるパラメータであり、Ｎは、スーパーフレーム当たりのフレームの個数を示す。各スーパーフレームが４個のフレームを含む場合に、Ｎは４である。ｉ、ｊ、ｋ、及びｐは、フレームインデックスを示す。ｌは、データバースト割当情報を運搬するＤＬサブフレームのインデックスを示し、ｍは、データバーストの送信が開始されるサブフレームのインデックスを示し、ｗは、ＵＬ  ＨＡＲＱフィードバックオフセットを示し、ｖは、ＵＬ  ＨＡＲＱ  Ｔｘオフセットを示す。したがって、ｉ＝０，１，．．．，Ｎ−１、ｊ＝０，１，．．．，Ｎ−１、ｋ＝０，１，．．．，Ｎ−１、ｐ＝０，１，．．．，Ｎ−１、ｌ＝０，ＮＡ−ＭＡＰ，．．．，ＮＡ−ＭＡＰ（ｃｅｉｌ（Ｄ／ＮＡ−ＭＡＰ）−１）、ｍ＝０，１，．．．，Ｕ−１、ｗ＝０，１，．．．，ｗｍａｘ−１、及びｖ＝０，１，．．．，ｖｍａｘ−１である。
【０１０６】
ＮＡ−ＭＡＰは、データバースト割当情報を送信する期間を示す。このデータバースト割当情報がＤＬサブフレームごとに送信される場合に、ＮＡ−ＭＡＰ＝１であり、ｌは、０からＤ−１までの範囲を有する。このデータバースト割当情報が２つのＤＬサブフレーム間隔ごとに送信される場合に、ＮＡ−ＭＡＰ＝２である。この場合に、ｌ＝０，２，．．．，２（ｃｅｉｌ（Ｄ／２）−１）である。
【０１０７】
ＴＤＤモードのＵＬ  ＨＡＲＱ送受信において、＃ｉフレームの＃ｌ  ＤＬサブフレームで送信されるＵＬデータバースト割当情報は、＃ｊフレームの＃ｍ  ＵＬサブフレームで開始されるデータバーストの送信を示す。ここで、ＤＬ：ＵＬ（Ｄ：Ｕ）の比率及び割当情報期間ＮＡ−ＭＡＰに従って、ｍは、１つ以上のＤＬサブフレームにマッピングされ得る。ｃｅｉｌ（Ｄ／ＮＡ−ＭＡＰ）≧Ｕである場合、すなわち、ＤＬ制御情報（データバースト割当情報又はＨＡＲＱフィードバック）を運搬するＤＬサブフレームの個数がＵＬサブフレームの個数より多いか又は同一である場合に、各ＵＬサブフレームは、１つの以上のＤＬサブフレームにマッピングされる。他方、ｃｅｉｌ（Ｄ／ＮＡ−ＭＡＰ）＜Ｕである場合、すなわち、ＤＬ制御情報（データバースト割当情報又はＨＡＲＱフィードバック）を運搬するＤＬサブフレームの個数がＵＬサブフレームの個数より少ない場合に、各ＤＬサブフレームは、１つ以上のＵＬサブフレームにマッピングされる。
【０１０８】
データバースト割当情報を運搬するＤＬサブフレームの個数がＵＬサブフレームの個数より多いか又は同一である場合に（ｃｅｉｌ（Ｄ／ＮＡ−ＭＡＰ）≧Ｕ）、１つのＵＬサブフレームでのデータバースト送信は、１つ以上のＤＬサブフレームで示されることができる。すなわち、ｌがＫより小さい場合には、＃ｌ  ＤＬサブフレームでのデータバースト割当情報は、＃０  ＵＬサブフレームで開始されるデータバースト送信を示す。ｌがＫより大きいか又は同一であり、ｌがＵ＋Ｋより小さい場合には、＃ｌ  ＤＬサブフレームでのデータバースト割当情報は、＃（ｌ−Ｋ）ＵＬサブフレームで開始されるデータバースト送信を示す。ｌがＵ＋Ｋより大きいか又は同一である場合には、＃ｌ  ＤＬサブフレームでのデータバースト割当情報は、＃（Ｕ−１）ＵＬサブフレームで開始されるデータバースト送信を示す。
【０１０９】
一方、データバースト割当情報を運搬するＤＬサブフレームの個数がＵＬサブフレームの個数より少ない場合に（ｃｅｉｌ（Ｄ／ＮＡ−ＭＡＰ）＜Ｕ ）、ＤＬサブフレーム内のデータバースト割当情報は、１つ以上のＵＬサブフレームでのデータバースト送信を示すことができる。例えば、＃０  ＤＬサブフレーム内のデータバースト割当情報は、＃０乃至＃（ｌ−Ｋ＋ＮＡ−ＭＡＰ−１）ＵＬサブフレームでのデータバースト送信を示し、これに関する関連情報は、データバースト割当情報を通して送信される。
【０１１０】
このデータバースト割当情報が１つのＤＬサブフレームだけで送信される場合に（ｃｅｉｌ（Ｄ／ＮＡ−ＭＡＰ）＝１）、このＤＬサブフレームは、すべてのＵＬサブフレームでのデータバースト送信を示す。このデータバーストのＴＴＩは、データバースト割当情報により示され得、フレームインデックスｊは、ｉ及びｖに従って決定される。
【０１１１】
表２のＦＤＤ  ＵＬ  ＨＡＲＱタイミング構造を参照して説明したように、ｖは、ＵＬ  ＨＡＲＱ  Ｔｘオフセットを示し、ｗは、ＵＬ  ＨＡＲＱフィードバックオフセットを示す。ＵＬ  ＨＡＲＱ  Ｔｘオフセットｖは、データバースト割当情報又はＨＡＲＱフィードバックを受信した後にデータバーストの送信又は再送信時点を決定するために使用される。上述したように、ＵＬ  ＨＡＲＱ  Ｔｘオフセットｖは、十分なＴｘ処理時間を確保するためにデータバーストを運搬するフレームのインデックスを調整するために使用される。
【０１１２】
ＴＤＤモードのＵＬ  ＨＡＲＱにおいて、ＵＬ  ＨＡＲＱ  Ｔｘオフセットｖは、数式９において、ＭＣＴＲＬをデータバースト割当情報又はＨＡＲＱフィードバックのような制御情報を運搬するＤＬサブフレームの個数Ｄに置き換え、ｂをデータバースト割当情報又はＨＡＲＱフィードバックを運搬するサブフレームのインデックスｌに置き換え、ａを初期送信又は再送信データバーストを運搬するサブフレームのインデックスｍに置き換えることにより計算されるＧａｐ４’に従って決定される。
【０１１３】
Ｇａｐ４’が、ＨＡＲＱフィードバックが受信された後にデータバースト送信に必要なＴｘ処理時間より小さい場合には、ｖ＝１であり、そうでない場合には、ｖ＝０である。
【０１１４】
また、ＴＤＤモードのＵＬ  ＨＡＲＱにおいて、データバーストを受信した後にＨＡＲＱフィードバックの送信時点を調整するために、ＵＬ  ＨＡＲＱフィードバックオフセットｗは、数式８において、ＭＤＡＴＡをデータバーストを運搬するサブフレームの個数Ｕに置き換えることにより計算されるＧａｐ３’に従って決定される。
【０１１５】
Ｇａｐ３’が、ＵＬデータバーストが受信された後にＨＡＲＱフィードバックの送信に必要なＲｘ処理時間より小さい場合に、ｗ＝１であり、そうでない場合には、ｗ＝０である。
【０１１６】
＃ｊフレームの＃ｍ  ＵＬサブフレームで送信されたデータバーストに対するＨＡＲＱフィードバックは、＃ｋフレームの＃ｌ  ＤＬサブフレームで行われる。すなわち、データバースト割当情報及びＨＡＲＱフィードバックは、同一のインデックスを有するサブフレームで送信される。ここで、ｋは、ｊにより決定される。
【０１１７】
ＵＬデータバーストが非同期式ＨＡＲＱで再送信される場合に、ＵＬデータバーストの再送信時点は、データバースト割当情報に含まれた再送信指示子により示される。他方、ＵＬデータバーストが同期式ＨＡＲＱで再送信される場合に、ＵＬデータバーストの再送信は、＃ｐフレームの＃ｍサブフレームで実行される。表４を参照すると、フレームインデックスｐは、ＵＬ  ＨＡＲＱ  Ｔｘオフセットｖ及びＨＡＲＱフィードバックを運搬するフレームのインデックスｋにより決定される。フレームインデックスｊ、ｋ、及びｐがスーパーフレーム当たりのフレームの総数Ｎより大きいかまたは同一である場合に、スーパーフレームインデックスｓは、１だけ増加し、フレームインデックスｊ、ｋ、及びｐは、表４に示すようなモジュロ演算を行うことにより得られる値である。
【０１１８】
一方、以上では、ＨＡＲＱタイミングが表１乃至表４の数式を用いて決定されると説明したが、可能なすべての入力値（すなわち、ＤＬ／ＵＬサブフレームの個数、サブフレームインデックス、及び処理時間など）に対応する表１乃至表４の数式に従う結果値を有するテーブルを送信器及び受信器に格納し、テーブルから所望の結果値を読み出すことによりＨＡＲＱタイミングを決定することも可能であることはもちろんである。
【０１１９】
ＨＡＲＱフィードバック及びＴｘオフセットの計算
ＨＡＲＱフィードバックオフセットｗ及びｚとＨＡＲＱ  Ｔｘオフセットｖ及びｕとを計算する実施形態を説明する。
【０１２０】
ＨＡＲＱフィードバックオフセットｗ及びｚとＨＡＲＱ  Ｔｘオフセットｖ及びｕとは、ＤＬサブフレームとＵＬサブフレーム間のマッピング関係、ＨＡＲＱ動作のＴＴＩ（データバーストのＴＴＩ又はフィードバック）、及び／又はシステム（送信器及び／又は受信器）の信号処理性能に従って決定され得る。本発明の他の実施形態において、ＨＡＲＱフィードバックオフセットは、この情報を用いて求められる代わりに、予め設定され、システムによりブロードキャストされ得る。ＨＡＲＱ動作に関連したオフセットは、次の通りに定義される。
【０１２１】
ＦＤＤモードによるＤＬ  ＨＡＲＱ動作のためのＨＡＲＱフィードバックオフセットｚ及びＨＡＲＱ  Ｔｘオフセットｕの中の少なくとも１つは、次の数式１０により計算される。
【０１２２】
【数１０】
0005336612.tif 000015
【０１２３】
ここで、Ｒｘ＿Ｔｉｍｅ１は、受信器の処理能力により決定されたＤＬデータバーストのＲｘ処理時間を示し、Ｔｘ＿Ｔｉｍｅ１は、送信器の処理能力により決定されたＤＬデータバーストのＴｘ処理時間を示す。Ｒｘ＿Ｔｉｍｅ１及びＴｘ＿Ｔｉｍｅ１は、データバーストの処理時間としてまとめて呼ばれる。ここで、データバーストのＲｘ処理は、例えば、多入力多出力（ＭＩＭＯ）Ｒｘ処理、復調、及び復号を含む。データバーストのＴｘ処理、例えば、符号化、変調、ＭＩＭＯ  Ｔｘ処理を含む。ＤＬ  ＨＡＲＱにおいて、一般的に、受信器は、端末であり、送信器は、基地局である。ここで、ＨＡＲＱフィードバックＴＴＩは、１つのサブフレームであると仮定し、データバースト送信時間間隔ＴＴＩは、ＮＴＴＩで示す。
【０１２４】
ＦＤＤモードによるＵＬ  ＨＡＲＱ動作のためのＨＡＲＱ  Ｔｘオフセットｖ及びＨＡＲＱフィードバックオフセットｗの中の少なくとも１つは、次の数式１１により計算される。
【０１２５】
【数１１】
0005336612.tif 000016
【０１２６】
ここで、Ｒｘ＿Ｔｉｍｅ２は、受信器の処理能力により決定されるＵＬデータバーストのＲｘ処理時間を示し、Ｔｘ＿Ｔｉｍｅ２は、送信器の処理能力により決定されるＵＬデータバーストのＴｘ処理時間を示す。Ｒｘ＿Ｔｉｍｅ２及びＴｘ＿Ｔｉｍｅ２は、データバーストの処理時間としてまとめて呼ばれる。ＵＬ  ＨＡＲＱにおいて、一般的に、受信器は、基地局であり、送信器は、端末である。
【０１２７】
ＴＤＤモードによるＤＬ  ＨＡＲＱ動作のためのＨＡＲＱフィードバックオフセットｚ及びＨＡＲＱ送信オフセットｕの中の少なくとも１つは、次の数式１２により計算される。
【０１２８】
【数１２】
0005336612.tif 000017
【０１２９】
ここで、Ｒｘ＿Ｔｉｍｅ３及びＴｘ＿Ｔｉｍｅ３は、それぞれＤＬデータバーストのＲｘ処理時間及びＴｘ処理時間を示す。Ｒｘ＿Ｔｉｍｅ３及びＴｘ＿Ｔｉｍｅ３は、データバーストの処理時間としてまとめて呼ばれる。
【０１３０】
ＴＤＤモードによるＵＬ  ＨＡＲＱ動作のためのＨＡＲＱフィードバックオフセットｗ及びＨＡＲＱ  Ｔｘオフセットｖの中の少なくとも１つは、次の数式１３により計算される。
【０１３１】
【数１３】
0005336612.tif 000018
【０１３２】
ここで、Ｒｘ＿Ｔｉｍｅ４及びＴｘ＿Ｔｉｍｅ４は、それぞれＵＬデータバーストのＲｘ処理時間及びＴｘ処理時間を示す。Ｒｘ＿Ｔｉｍｅ４及びＴｘ＿Ｔｉｍｅ４は、データバーストの処理時間としてまとめて呼ばれる。
【０１３３】
同期式ＨＡＲＱにおいて、ＵＬ  ＨＡＲＱ動作のＴｘ処理時間は、初期送信及び再送信により異なる。すなわち、数式１１のＴｘ＿Ｔｉｍｅ２及び数式１３のＴｘ＿Ｔｉｍｅ４は、データバーストが初期に送信されるか又は再送信されるかに基づいてＴｘ＿Ｔｉｍｅ＿ＮｅｗＴｘ及びＴｘ＿Ｔｉｍｅ＿ＲｅＴｘに置き換えられ得る。ここで、Ｔｘ＿Ｔｉｍｅ＿ＮｅｗＴｘは、初期送信データバーストのＴｘ処理時間を示し、Ｔｘ＿Ｔｉｍｅ＿ＲｅＴｘは、再送信データバーストのＴｘ処理時間を示す。上述したように、初期送信データバーストがデータバースト割当情報に従ってエンコーディングされるとしても、データバーストの再送信は、このエンコーディングされた初期送信データバーストに基づいてエンコーディングされ得るＮＡＣＫ信号によりトリガーリングされる。したがって、初期送信及び再送信のためのＴｘ処理時間が異なって考慮されつつ、ＨＡＲＱ  Ｔｘオフセットが調整され得る。
【０１３４】
また、再送信トリガーリングに従って、再送信データバーストのＴｘ処理時間は、Ｔｘ＿Ｔｉｍｅ＿ＲｅＴｘ１又はＴｘ＿Ｔｉｍｅ＿ＲｅＴｘ２であり得る。この再送信トリガーリング方法では、２通りの方法が考慮されることができる。１番目の方法では、ＮＡＣＫ信号だけが送信され、２番目の方法では、ＮＡＣＫ信号及び再送信のための割当情報が送信される。Ｔｘ＿Ｔｉｍｅ＿ＲｅＴｘ１は、前者の場合のために使用され、Ｔｘ＿Ｔｉｍｅ＿ＲｅＴｘ２は、後者の場合のために使用される。
【０１３５】
同様に、表２、表４、数式１１及び数式１３で説明したＵＬ  ＨＡＲＱ  Ｔｘオフセットは、初期送信又は再送信のＴｘ処理時間に従ってｖｎｅｗ及びｖＲｘＴｘとして個別に調整され得る。ここで、ｖｎｅｗは、Ｔｘ＿Ｔｉｍｅ＿ＮｅｗＴｘのＴｘ処理時間を考慮した初期送信データバーストのためのＵＬ  ＨＡＲＱ  Ｔｘオフセットであり、ｖＲｘＴｘは、Ｔｘ＿Ｔｉｍｅ＿ＲｅＴｘのＴｘ処理時間を考慮した再送信データバーストのためのＵＬ  ＨＡＲＱ  Ｔｘオフセットである。
【０１３６】
レガシーサポートティングモード
ＩＥＥＥ（Institute of Electrical and Electronics Engineers）８０２．１６ｍアドバンスト無線インターフェース（Advanced Air interface：ＡＡＩ）を使用する無線移動通信システムは、スーパーフレーム構造内で所定のフレームオフセットを使用してＩＥＥＥ８０２．１６ｅレガシー無線移動通信システムと共存し得る。具体的に、各１６ｍフレームは、ＤＬサブフレーム及びＵＬサブフレームとともに、１６ｅフレームとの差異を補償するためのフレームオフセットを含む。この場合に、ＴＤＤ  ＨＡＲＱ動作タイミング構造は、ネットワークノード及び端末がＩＥＥＥ８０２．１６ｍモードで動作する期間でのＤＬ：ＵＬの比率に従って表３及び表４で説明したＨＡＲＱ動作タイミング構造に基づく。
【０１３７】
ＤＬサブフレームとＵＬサブフレーム間のマッピング関係は、ネットワークノード及び端末がＩＥＥＥ８０２．１６ｍモードで動作する期間でのＤＬ：ＵＬの比率に従って決定される。言い換えれば、ＤＬ：ＵＬの比率に従ってＨＡＲＱ動作のための送信期間内のサブフレームのインデックス及び個数が決定される。しかしながら、１つのフレーム内にＩＥＥＥ８０２．１６ｅモード及びＩＥＥＥ８０２．１６ｍモードが共存するので、フレームは、１６ｍモードで動作する期間でのＤＬ：ＵＬの比率でなく、ＴＤＤシステムの全ＤＬ：ＵＬの比率に従ってインデキシングされる。
【０１３８】
ＴＤＤシステムにおいて、ＤＬサブフレームの個数及びＵＬサブフレームの個数をＤ’及びＵ’でそれぞれ示す。サブフレームインデックスｌ’、ｍ’、及びｎ’は、ＴＤＤシステムのＤＬ：ＵＬの比率、すなわち、Ｄ’：Ｕ’に従ってナンバーリングされる。また、１６ｍモードで動作する期間でのＤＬサブフレームの個数及びＵＬサブフレームの個数をそれぞれＤ及びＵで示す。サブフレームインデックスｌ’、ｍ、及びｎは、１６ｍモードで動作する期間でのＤＬ：ＵＬの比率であるＤ：Ｕに従ってナンバーリングされる。
【０１３９】
１６ｅモードで動作するレガシー期間を除いた１６ｍモードで動作する期間でのＨＡＲＱ動作タイミングは、表３及び表４に従う。しかしながら、ＨＡＲＱフィードバックオフセットｚ又はｗ及びＨＡＲＱ  Ｔｘオフセットｕ又はｖに従って決定されたフレームインデックスｉ、ｊ、及びｋは、Ｄ’：Ｕ’に従ってサブフレームインデックスｌ’、ｍ’、ｎ’を使用してナンバーリングされる。
【０１４０】
図７は、本発明の実施形態による２つの異なるシステムが共存する場合に５：３  ＴＤＤモードのＤＬデータバースト送信によるＨＡＲＱ動作タイミング構造を示す図である。
【０１４１】
図７を参照すると、２個のＤＬサブフレーム及びＵＬ周波数分割多重化（ＦＤＭ）領域がレガシーシステムをサポートするモード（すなわち、レガシーサポートティングモード）のために指定され、サブフレームは、レガシーサポートティングモードのためのリンク期間を除いた残りのリンク期間でさらにインデキシングされる。すなわち、全ＴＤＤシステムにおいて、ＤＬフレームは、＃０乃至＃４  ＤＬサブフレームで構成される。したがって、１６ｍモードで動作する期間では、＃２、＃３、及び＃４  ＤＬサブフレームは、それぞれ＃０、＃１、及び＃２としてさらにナンバーリングされる。ＵＬ期間は、ＦＤＭを使用してＤＬ期間と共存し、１６ｍモード期間は、全ＵＬ期間を占有する。したがって、１６ｍモードで動作するフレームは、３個のＤＬサブフレーム及び３個のＵＬサブフレームを含む。
【０１４２】
図７を参照すると、Ｄ＝３及びＵ＝３であるので、Ｋ＝０である。Ｄ’は、５であり、Ｕ’は、３である。ＴＤＤ  ＤＬ  ＨＡＲＱデータバースト送信において、データバースト割当情報及びデータバーストは、＃ｉフレームの＃０  ＤＬサブフレームで送信される。このデータバーストに対するＨＡＲＱフィードバックは、＃ｉフレームの＃０  ＵＬサブフレームで送信される。ＨＡＲＱデータバーストの再送信は、＃（ｉ＋１）フレームの＃０  ＤＬサブフレームで実行され、この再送信データバーストに対するＨＡＲＱフィードバックは、＃（ｉ＋１）フレームの＃０  ＵＬサブフレームで送信される。ここで、Ｔｘ及びＲｘ処理時間の各々は、２個のサブフレームとみなされる。
【０１４３】
図８は、本発明の実施形態による２つの異なるシステムが共存する場合で５：３  ＴＤＤモードのＵＬデータバースト送信によるＨＡＲＱ動作タイミング構造を示す図である。
【０１４４】
図８を参照すると、図７のフレーム構造に従ってＤ＝３、Ｕ＝３であるため、Ｋ＝０となる。ＴＤＤ  ＵＬ  ＨＡＲＱデータバースト送信において、データバースト割当情報は、＃ｉフレームの＃０  ＵＬサブフレームで送信され、ＵＬデータバーストは、このデータバースト割当情報に従って＃ｉフレームの＃０  ＵＬサブフレームで送信される。このＵＬデータバーストのＨＡＲＱフィードバックは、＃（ｉ＋１）フレームの＃０  ＤＬサブフレームで送信され、このＵＬデータバーストの再送信は、＃（ｉ＋１）フレームの＃０  ＵＬサブフレームで実行される。この際に、＃０  ＤＬサブフレームにおいて、ＵＬデータバースト送信を示すデータバースト割当情報が送信され得る。ここで、Ｔｘ及びＲｘ処理時間の各々は、２個のサブフレームとみなされる。
【０１４５】
一方、図７及び８において、ＩＥＥＥ８０２．１６ｅ無線通信システムで使用されるリソースは、フレームオフセットに対応する期間に割り当てられる。
【０１４６】
表１乃至表４のように提案するＨＡＲＱ動作タイミング構造は、データバーストのＴＴＩに関係なく、データバースト割当情報を運搬するサブフレームのインデックス又はデータバーストの送信を開始するサブフレームのインデックスに従って設定される。したがって、ＨＡＲＱフィードバックが同期式ＨＡＲＱを使用して所定のサブフレームで周期的に送信されるため、受信器は、ＨＡＲＱフィードバックの受信をモニタリングするための電力を節約する一方、ＣＬＣ（Co-located coexistence）を効率的にサポートすることができる。
【０１４７】
長いＴＴＩ
本発明の他の実施形態において、データバーストが２個以上のサブフレームを占有する場合に、すなわち、長いＴＴＩが使用される場合に、ＨＡＲＱフィードバックタイミングは、表１乃至表４で説明したＨＡＲＱタイミング構造に比べて、より早いＡＣＫタイミングをサポートするために、このデータバースト送信が開始されるサブフレームのインデックスの代わりに、データバースト送信が終了するサブフレームのインデックスに従って決定され得る。このようなタイミング決定は、主に、非同期式ＨＡＲＱでより早いＡＣＫタイミングのために使用され得る。
【０１４８】
表１で定義したＨＡＲＱフィードバックタイミングは、次のように調整される。ＨＡＲＱフィードバックを運搬するサブフレームのインデックス及びフレームのインデックスは、ＴＴＩの１番目のサブフレームのインデックスｍの代わりに、ＴＴＩの最後のサブフレームのインデックスｍ’（＝ｍ＋ＮＴＴＩ−１）に基づいて決定される。
【０１４９】
図９は、本発明の他の実施形態によるＦＤＤモードでのＤＬデータバースト送信のためのＨＡＲＱ動作タイミング構造を示す図である。ここで、ＮＴＴＩ＝４、Ｆ＝８、Ｔｘ及びＲｘ処理時間の各々が３個以下のサブフレームであり、ＤＬ  ＨＡＲＱフィードバックオフセットｚが０であり、ＤＬ  ＨＡＲＱ  Ｔｘオフセットｕが０であると仮定する。
【０１５０】
図９を参照すると、＃ｉフレームの＃１  ＤＬサブフレームで送信されたデータバースト割当情報は、＃ｉフレーム内の＃１  ＤＬサブフレームから＃４  ＤＬサブフレームまでのＴＴＩ９００でＤＬデータバーストが送信されることを示す。このＤＬデータバーストに対するＨＡＲＱフィードバックは、ＤＬデータバースト送信が終了する＃ｉフレームの＃４  ＤＬサブフレームにマッピングされた＃（ｉ＋１）フレームの＃０  ＵＬサブフレーム９１０で送信される。すなわち、ｎ＝０（＝ｃｅｉｌ（１＋４−１＋４）  ｍｏｄ  ８）であり、ｊ＝ｉ＋１（＝（ｉ＋ｆｌｏｏｒ（ｃｅｉｌ（１＋４−１＋４）／８）  ｍｏｄ  ４）））である。同期式ＨＡＲＱにおいて、データバースト９２０の送信は、前のデータバースト送信と同一のサブフレーム位置、すなわち、＃（ｉ＋２）フレームの＃１  ＤＬサブフレームで開始される。
【０１５１】
上述したように、表１及び表２において、ＨＡＲＱフィードバックタイミングは、サブフレームの中の１番目のサブフレームのインデックスｍの代わりに、データバーストを運搬する１つ以上のサブフレームの中の最後のサブフレームのインデックスｍ’に従って決定され得る。
【０１５２】
ＴＤＤモードでのＤＬ  ＨＡＲＱ動作タイミング構造でも同様に、ＨＡＲＱフィードバックタイミングは、より早いＡＣＫタイミングのために、データバーストの１番目のサブフレームのインデックスｍの代わりに、このデータバーストを運搬する最後のサブフレームのインデックスｍ’（＝ｍ＋ＮＴＴＩ−１）を表３に適用することにより決定され得る。
【０１５３】
図１０は、本発明の他の実施形態によるＴＤＤモードのＤＬデータバースト送信のためのＨＡＲＱ動作タイミング構造を示す図である。ここで、ＮＴＴＩ＝４、Ｄ＝４、Ｕ＝４であり、Ｔｘ及びＲｘ処理時間の各々は、３つ以下のサブフレームであり、Ｋ＝０、ｚ＝０と仮定する。
【０１５４】
図１０を参照すると、＃ｉフレームの＃０  ＤＬサブフレームで送信されたデータバースト割当情報は、＃ｉフレームの＃０  ＤＬサブフレーム乃至＃３  ＤＬサブフレームまでのＴＴＩ１０００でのＤＬデータバーストの送信を示す。このＤＬデータバーストに対するＨＡＲＱフィードバックは、表３に従って、＃ｉフレームの＃３  ＤＬサブフレームにマッピングされる＃ｉフレームの＃３  ＵＬサブフレーム１０１０で送信される。すなわち、ｎ＝０（＝３−０）及びｊ＝ｉ（＝（ｉ＋０）  ｍｏｄ  ４）である。同期式ＨＡＲＱにおいて、ＨＡＲＱフィードバック後のデータバースト１０２０の再送信は、前のデータバースト送信と同一のサブフレーム位置、すなわち、＃（ｉ＋２）フレームの＃０  ＤＬサブフレームで開始される。
【０１５５】
しかしながら、ＨＡＲＱフィードバックタイミングは、長いＴＴＩに対するＴＤＤ  ＨＡＲＱ動作タイミング構造において、ＤＬ：ＵＬの比率及びＴｘ／Ｒｘ処理時間に従って異なって決定される。一例として、Ｔｘ／Ｒｘ処理時間が３個のサブフレームであり、ＴＴＩが全ＤＬ期間を占有する場合に、５：３  ＴＤＤ  ＤＬ  ＨＡＲＱ動作で長いＴＴＩ（５つのサブフレーム）に対するＨＡＲＱフィードバックタイミングについて説明する。
【０１５６】
ＨＡＲＱフィードバックタイミングがデータバースト送信の開始に従って設定される場合に、＃０  ＤＬサブフレームで送信が開始されるデータバーストのためのＨＡＲＱフィードバックは、次のフレームの＃０  ＵＬサブフレームで提供される。他方、ＨＡＲＱフィードバックタイミングがデータバースト送信の終了に従って設定される場合に、＃４  ＤＬサブフレームで送信が終了するデータバーストのためのＨＡＲＱフィードバックは、次のフレームの＃３  ＵＬサブフレームで提供される。したがって、長いＴＴＩが５：３  ＴＤＤ  ＤＬ  ＨＡＲＱで使用される場合に、データバーストの送信終了時点に基づくよりは、このデータバーストの送信開始時点に基づいて決定することにより長いＴＴＩのためのもっと早いＨＡＲＱフィードバックタイミングが提供される。
【０１５７】
他の例として、４：４  ＴＤＤ  ＤＬ  ＨＡＲＱにおいて、４つのサブフレームの長いＴＴＩに対するＨＡＲＱフィードバックタイミングについて説明する。
【０１５８】
ＨＡＲＱフィードバックタイミングがデータバースト送信の開始に従って設定される場合に、＃０  ＤＬサブフレームで送信が開始されるデータバーストのためのＨＡＲＱフィードバックは、次のフレームの＃０  ＵＬサブフレームで提供される。他方、ＨＡＲＱフィードバックタイミングがデータバースト送信の終了に従って設定される場合に、＃３  ＤＬサブフレームで送信が終了するデータバーストのためのＨＡＲＱフィードバックは、次のフレームの＃３  ＵＬサブフレームで提供される。このように、４：４  ＴＤＤ  ＤＬ  ＨＡＲＱは、５：３  ＴＤＤ  ＤＬ  ＨＡＲＱとは異なり、データバーストの送信終了時点に基づくよりは、このデータバーストの送信開始時点に基づいて決定することにより長いＴＴＩのためのもっと早いＨＡＲＱフィードバックタイミングが提供される。
【０１５９】
したがって、本発明の実施形態では、ＤＬ：ＵＬ比率及びＴｘ／Ｒｘ処理時間に従って適切なＨＡＲＱ動作タイミング構造を選択する。具体的に、表１乃至表４において、ＨＡＲＱフィードバックタイミングを決定するにあたり、この決定は、データバーストの送信が開始されるサブフレームのインデックスｍの代わりに、データバーストを運搬する少なくとも１つ以上のサブフレームの中の最後のサブフレームのインデックスｍ’（＝ｍ＋ＮＴＴＩ−１）に基づいてなされ得る。ＨＡＲＱ動作タイミング構造に関する情報は、例えば、ＤＬ共通制御チャネルを介してシステム情報としてシグナリングされ得る。
【０１６０】
ＨＡＲＱフィードバック及びＴｘオフセットの変化
ＴＤＤモードのＤＬ及びＵＬ  ＨＡＲＱ動作タイミング構造の他の実施形態について説明する。具体的に、ＤＬ又はＵＬデータバーストを運搬するサブフレームの位置に従うＨＡＲＱフィードバックオフセット及びＨＡＲＱ  Ｔｘオフセットの変化について説明する
【０１６１】
図１１及び図１２は、ＮＡ−ＭＡＰ＝１及びＤ＋Ｕ＝８である場合におけるＨＡＲＱ動作タイミング構造を示す図である。
【０１６２】
図１１は、Ｄ：Ｕ＝５：３であり、ＴＴＩが１つのサブフレームである場合のＨＡＲＱ動作タイミング構造を示す図である。図１１を参照すると、Ｔｘ／Ｒｘ処理時間が２個のサブフレームである場合に、ＨＡＲＱフィードバック／Ｔｘオフセットは、０である。すなわち、各ＤＬサブフレームの送信が２個のサブフレーム内で完全に処理されることができるので（Ｇａｐ３及びＧａｐ４が２を超過するため）、関連したＵＬ送信は、時間遅延なしに次のＵＬ期間でなされる。同様に、各ＵＬサブフレームの送信は、２個のサブフレーム内で完全に処理することができ（すなわち、Ｇａｐ３及びＧａｐ４が２を超過するため）、関連したＤＬ送信は、時間遅延なしに次のＤＬ期間でなされる。
【０１６３】
しかしながら、Ｔｘ／Ｒｘ処理時間が３個のサブフレームである場合に、＃４  ＤＬサブフレームに関連したＨＡＲＱ  ＵＬ  Ｔｘタイミングは、１つのフレームだけ遅延する。これは、３個のサブフレームが＃４  ＤＬサブフレームの送信処理に必要とされるため、対応する＃２  ＵＬサブフレームまでの間隔である２個のサブフレーム（＝５−４−１＋２）内でＵＬ送信を実行することが難しい。結果として、＃４  ＤＬサブフレームに対応する＃２  ＵＬサブフレームでのＵＬ送信は、１つのフレームだけ遅延し、したがって、次の＃（ｉ＋１）フレームの＃２  ＵＬサブフレームで行われる。
【０１６４】
図１２は、Ｄ：Ｕ＝３：５であり、ＴＴＩが１つのサブフレームである場合のＨＡＲＱ動作タイミング構造を示す図である。図１２を参照すると、Ｔｘ／Ｒｘ処理時間が２個のサブフレームである場合に、ＨＡＲＱフィードバック／Ｔｘオフセットは、０である。しかしながら、Ｔｘ／Ｒｘ処理時間が３個のサブフレームである場合に、Ｇａｐ＝３−０−１−０＝２である。したがって、＃０  ＤＬサブフレームに関連した＃０  ＵＬサブフレームでのＨＡＲＱ  ＵＬ  Ｔｘタイミングは、１つのフレームだけ遅延する。Ｇａｐ＝５−４−１＋２＝２であるので、＃４  ＵＬサブフレームに関連した＃２  ＤＬサブフレームでのＤＬ送信タイミングは、１つのフレームだけ遅延する。これは、各ＧａｐがＴｘ又はＲｘ処理時間より小さいためである。
【０１６５】
図１３は、Ｄ＋Ｕ＝７の場合におけるＨＡＲＱ動作タイミング構造を示す図である。
【０１６６】
図１３の（ａ）は、Ｄ：Ｕ＝４：３、ＮＡ−ＭＡＰ＝１、及びＴＴＩが１つのサブフレームである場合におけるＨＡＲＱ動作タイミング構造を示す図である。図１３の（ａ）を参照すると、Ｔｘ／Ｒｘ処理時間が２個のサブフレームである場合に、ＨＡＲＱフィードバック／Ｔｘオフセットは、０である。Ｔｘ／Ｒｘ処理時間が３個のサブフレームである場合に、＃３  ＤＬサブフレームに対応する＃２サブフレームのＨＡＲＱ  ＵＬ  Ｔｘタイミングは、Ｇａｐ＝４−３−１＋２＝２であるために、１つのフレームだけ遅延する。
【０１６７】
図１３の（ｂ）は、Ｄ：Ｕ＝３：４、ＮＡ−ＭＡＰ＝１、及びＴＴＩが１つのサブフレームである場合におけるＨＡＲＱ動作タイミング構造を示す図である。Ｄ＋Ｕが奇数であり、Ｄ＜Ｕであるので、ｃｅｉｌ（  ）に基づいてＫｃ（＝−１）が使用される。図１３の（ｂ）を参照すると、Ｔｘ／Ｒｘ処理時間が２個のサブフレームである場合に、ＨＡＲＱフィードバック／Ｔｘオフセットは、０である。一方、Ｔｘ／Ｒｘ処理時間が３個のサブフレームである場合に、＃３  ＤＬサブフレームに対応する＃０  ＵＬサブフレームのＨＡＲＱ  ＵＬ  Ｔｘタイミングは、１つのフレームだけ遅延する。
【０１６８】
図１４は、ＮＡ−ＭＡＰ＝１であり、Ｄ＋Ｕ＝６である場合におけるＨＡＲＱ動作タイミング構造を示す図である。
【０１６９】
図１４の（ａ）は、Ｄ：Ｕ＝４：２であり、ＴＴＩが１つのサブフレームである場合におけるＨＡＲＱ動作タイミング構造を示す図である。図１４の（ａ）を参照すると、Ｔｘ／Ｒｘ処理時間が２個のサブフレームである場合に、＃３  ＤＬサブフレームに関連したＨＡＲＱ  ＵＬ  Ｔｘタイミングは、１つのフレームだけ遅延する。Ｔｘ／Ｒｘ処理時間が３個のサブフレームである場合に、＃０  ＵＬサブフレームに関連したＨＡＲＱ  ＤＬ  Ｔｘタイミングは、１つのフレームだけ遅延し、＃１及び＃２  ＤＬサブフレームに関連したＨＡＲＱ  ＵＬ及びＤＬ  Ｔｘタイミングは、１つのフレームだけ遅延する。また、＃３  ＤＬサブフレームに関連したＨＡＲＱ  ＵＬ  Ｔｘタイミングは、１つのフレームだけ遅延する。
【０１７０】
図１４の（ｂ）は、Ｄ：Ｕ＝３：３であり、ＴＴＩが１つのサブフレームである場合におけるＨＡＲＱ動作タイミング構造を示す図である。図１４の（ｂ）を参照すると、Ｔｘ／Ｒｘ処理時間が２個のサブフレームである場合に、ＨＡＲＱフィードバック／Ｔｘオフセットは、０である。しかしながら、Ｔｘ／Ｒｘ処理時間が３個のサブフレームである場合に、ＨＡＲＱフィードバック／Ｔｘオフセットは、１であり、これは、１つのフレーム遅延を意味する。
【０１７１】
中継構造
以下、中継構造をサポートする無線移動通信システムにおけるＨＡＲＱ動作タイミング構造について説明する。
【０１７２】
中継構造をサポートする場合に、基地局及び端末は、直接に通信するか又は少なくとも１つの中継局（Relay Station：ＲＳ）を通して通信する。基地局と端末間の中継局は、奇数ホップ中継局（odd-hop RS）及び偶数ホップ中継局（Even-Hop RS）に分類される。各中継局は、後述するフレーム構造及びＨＡＲＱ動作タイミングに従ってＨＡＲＱ  Ｔｘ時点を決定する制御器と、この制御器の制御によるタイミングでデータバースト割当情報、データバースト、及びＨＡＲＱフィードバックを送受信する少なくとも１つの送信器／受信器とを含む。ここで、データ送信は、基地局と中継局間のデータ送信又は中継局と端末間のデータ送信を示す。
【０１７３】
本発明の一実施形態において、中継局及び端末の１６ｍモードで動作するＨＡＲＱ動作タイミング構造について説明する。
【０１７４】
図１５は、本発明の望ましい実施形態による中継構造をサポートする無線移動通信システムのフレーム構造を示す図である。
【０１７５】
図１５を参照すると、基地局フレーム１４１０は、基地局から端末に直接に送信されるＤＬアクセス領域１４１２と、基地局から端末又は中継局に送信されるＤＬ送信領域１４１４と、ネットワーク符号化受信領域１４１６と、端末から受信されるＵＬアクセス領域１４１８と、端末又は中継局から受信されるＵＬ受信領域１４２０とを含み得る。Ｔｘ領域１４１２及び１４１４とＲｘ領域１４１６、１４１８、及び１４２０間には、送受信切り替えのためのギャップ（Gap）１４２２が挿入される。
【０１７６】
奇数ホップ中継局フレーム１４３０は、端末に送信されるＤＬアクセス領域１４３２と、端末又は偶数ホップ中継局に送信されるＤＬ送信領域１４３４と、偶数ホップ中継局又は基地局から受信されるＤＬ受信領域１４４４と、ネットワーク符号化送信領域１４３８と、端末又は偶数ホップ中継局から受信されるＵＬ受信領域１４４０と、偶数ホップ中継局又は基地局から送信されるＵＬ送信領域１４４２とを含む。送信と受信間の切り替えのためのギャップ１４４４、１４４６、及び１４４８は、Ｔｘ領域１４３４とＲｘ領域１４３６間に、Ｔｘ領域１４３８とＲｘ領域１４３６間に、Ｔｘ領域１４４２とＲｘ領域１４４０間に挿入される。
【０１７７】
偶数ホップ中継局フレーム１４５０は、端末に送信されるＤＬアクセス領域１４５２と、奇数ホップ中継局から受信されるＤＬ受信領域１４５４と、奇数ホップ中継局又は端末に送信されるＤＬ送信領域１４５６と、ネットワーク符号化受信領域１４５８と、奇数ホップ中継局に送信されるＵＬ送信領域１４６０と、端末又は奇数ホップ中継局から受信されるＵＬ受信領域１４６２とを含む。送信と受信間の切り替えのためのギャップ１４６４、１４６６、１４６８、及び１４７０は、Ｔｘ領域１４５２とＲｘ領域１４５４間に、Ｔｘ領域１４５６とＲｘ領域１４５４間に、Ｔｘ領域１４５６とＲｘ領域１４５８間に、Ｔｘ領域１４６０とＲｘ領域１４６２間に挿入される。
【０１７８】
上述したように、少なくとも１つの中継局が端末と通信する領域でのＨＡＲＱ動作タイミング構造は、上述したレガシーサポートティングモードのＨＡＲＱ動作と同様に、サブフレームインデックスに従うＤＬサブフレームとＵＬサブフレーム間のマッピング関係は、少なくとも１つの中継局が対応する中継局のフレーム内で端末と通信する領域でのＤＬ:ＵＬの比率に従って定められ、フレームインデックスは、このサブフレームインデックスに従って定められる。
【０１７９】
図１６は、本発明の実施形態によるＴＤＤモードの中継局フレーム構造の一例を示す図である。図１６において、ＴＤＤフレームは、４：４のＤＬ：ＵＬの比率（Ｄ’：Ｕ’＝４：４）を有し、ネットワーク符号化Ｔｘ／Ｒｘ領域は、省略する。
【０１８０】
図１６の（ａ）を参照すると、奇数ホップ中継局のために使用される＃ｉフレームにおいて、奇数ホップ中継局は、＃０、＃１、及び＃２  ＤＬサブフレームを端末又は下位中継局に送信し、他のＤＬサブフレームを基地局から受信する。奇数ホップ中継局は、＃０及び＃１  ＵＬサブフレームを端末から受信し、他の２個のＵＬサブフレームを上位中継局又は基地局に送信する。
【０１８１】
図１６の（ｂ）を参照すると、偶数ホップ中継局のために使用される＃ｉフレームにおいて、偶数ホップ中継局は、ＤＬ期間の初めに位置する＃０  ＤＬサブフレーム及び最後に位置する＃１  ＤＬサブフレームを端末に送信し、中間に位置する２個のＤＬサブフレームを上位奇数ホップ中継局から受信する。偶数ホップ中継局は、ＵＬ期間の最後に位置する＃０及び＃１  ＵＬサブフレームを端末から受信し、ＵＬ期間の初めに位置する残りの２個のＵＬサブフレームを上位奇数ホップ中継局に送信する。
【０１８２】
図１７は、本発明の実施形態による奇数ホップ中継局のためのＨＡＲＱ動作タイミング構造を示す図である。図１７において、Ｄ：Ｕ＝３：２である。
【０１８３】
図１７の（ａ）は、Ｋｆを考慮したＨＡＲＱ動作タイミング構造を示す図である。図１７の（ａ）を参照すると、＃２  ＤＬサブフレームに対応するＨＡＲＱ  ＵＬ  Ｔｘタイミングは、１つのフレームだけ遅延する。
【０１８４】
図１７の（ｂ）は、Ｋｃを考慮したＨＡＲＱ動作タイミング構造を示す図である。図１７の（ｂ）を参照すると、＃１及び＃２  ＤＬサブフレームに対応するＨＡＲＱ  ＵＬ  Ｔｘタイミングの各々は、１つのフレームだけ遅延する。
【０１８５】
図１８は、本発明の実施形態による偶数ホップ中継局のためのＨＡＲＱ動作タイミング構造を示す図である。図１８において、Ｄ：Ｕ＝２：２である。図１８からわかるように、＃０  ＵＬサブフレームに対応するＨＡＲＱ  ＤＬ  Ｔｘタイミングは、１つのフレームだけ遅延する。
【０１８６】
上述したように、Ｋの値は、より早いＨＡＲＱタイミングを提供するためにＤＬ：ＵＬの比率及びＴｘ／Ｒｘ処理時間に従って選択される必要がある。システムオペレータは、ＤＬ：ＵＬの比率及びＴｘ／Ｒｘ処理時間のようなシステム構成情報に従ってＨＡＲＱ動作タイミング構造及び適切なＫの値を選択し得、このシステム構成情報は、ＤＬ共通制御チャネルを通して送信される。
【０１８７】
長いＴＴＩに対するＨＡＲＱタイミング構造
以下では、表３及び表４を参照して長いＴＴＩに関する割当情報に基づくＨＡＲＱタイミング構造について説明する。
【０１８８】
ＤＬ  ＨＡＲＱにおいて、長いＴＴＩを有するデータバーストの送信を示すデータバースト割当情報が特定のＤＬサブフレームで送信される場合に、長いＴＴＩ送信は、次のフレームの＃０  ＤＬサブフレームで送信される。この長いＴＴＩ送信のためのＨＡＲＱフィードバックは、次のフレームのＤＬサブフレーム（すなわち、データバースト割当情報を運搬するサブフレーム）にマッピングされるＵＬサブフレームで送信される。ＵＬ  ＨＡＲＱにおいて、特定のＤＬサブフレームで送信されるデータバースト割当情報により示された長いＴＴＩ送信が同一のフレームで使用可能でない場合に、長いＴＴＩ送信のＵＬデータバーストは、次のフレームの＃０  ＵＬサブフレームで送信され、ＵＬデータバーストに対するＨＡＲＱフィードバックは、次のフレームのＤＬサブフレーム（すなわち、データバースト割当情報を運搬するサブフレーム）と同一のインデックスを有するＤＬサブフレームで送信される。フレームインデックスは、上述したＨＡＲＱ  Ｔｘオフセット及びＨＡＲＱフィードバックオフセットを用いて決定される。例えば、＃ｌ  サブフレーム（ｌが０でない）で送信されるデータバースト割当情報が全ＤＬ期間を占有する長いＴＴＩとＤＬデータバーストの送信を示す場合に（ＮＴＴＩ＝Ｄ）、バースト送信は、＃０  ＤＬサブフレームで開始される。しかしながら、ｌが０でないＤＬサブフレームｌで送信されるデータバースト割当情報が長いＴＴＩ送信を示す場合に、このＤＬデータバーストは、同一のフレームで送信されず、このデータバースト割当情報は、次のフレームで長いＴＴＩ送信を示すものと見なされる。
【０１８９】
ＤＬ  ＨＡＲＱに対して表３を参照すると、＃ｉフレームの＃ｌ  ＤＬサブフレームで送信されるデータバースト割当情報は、ＮＡ−ＭＡＰに従って＃ｍ  ＤＬサブフレームでのデータバースト送信を示す。しかしながら、長いＴＴＩ送信の場合に、このデータバースト送信の開始は、ＤＬサブフレームインデックスｍ及びデータバーストのＴＴＩであるＮＴＴＩに従って決定される。したがって、長いＴＴＩ送信は、＃ａフレームの＃ｈ  ＤＬサブフレームで開始され、長いＴＴＩ送信に対するＨＡＲＱフィードバックは、＃ｂフレームの＃ｆ  ＵＬサブフレームで送信される。ＵＬ  ＨＡＲＱフィードバックがＮＡＣＫ信号である場合に、このデータバーストの再送信は、＃ｃフレームの＃ｈ又は次のＤＬサブフレームで行われる。ここで、フレームインデックスａ、ｂ、及びｃとサブフレームインデックスｈ及びｆとは、このデータバースト割当情報から取得したインデックスｉ、ｌ、及びｍ、このインデックスｉ、ｌ、及びｍに対応するＵＬサブフレームインデックスｎ、及びＮＴＴＩに従って次のように決定される。
【０１９０】
Ｄ−ｍ≧ＮＴＴＩである場合に、このデータバースト割当情報で示された長いＴＴＩ送信は、＃ｉフレームの＃ｍサブフレームで開始されるので、ａ＝ｉであり、ｈ＝ｍである。他方、Ｄ−ｍ＜ＮＴＴＩである場合に、残りのＤＬフレーム期間は、ＮＴＴＩより小さいので、このデータバーストは、＃ｉフレームで送信されることができない。したがって、＃（ｉ＋１）フレームの＃０サブフレームで長いＴＴＩ送信が開始され、a＝ｉ＋１であり、ｈ＝０である。
【０１９１】
ＵＬ  ＨＡＲＱフィードバックが特定のＵＬサブフレームに集中しないように、このデータバーストに対するＵＬ  ＨＡＲＱフィードバックを運搬するＵＬサブフレームのインデックスｆは、このデータバースト割当情報を運搬するＤＬサブフレームのインデックスｌに従って決定される。ここで、ｌとｆ間の関係は、表３で定義されたｍとｎ間の関係に従う。したがって、ＵＬ  ＨＡＲＱフィードバックは、次のフレームで送信されるので、ｂ＝ａ＋１（＝ｉ＋２）である。
【０１９２】
例えば、５：３ＴＤＤ構造において、ＮＴＴＩ＝５、ＮＡ−ＭＡＰ＝１、Ｋ＝１、及びＴｘ／Ｒｘ処理時間＝３である場合に、＃ｉフレームの＃２  ＤＬサブフレームで送信されるデータバースト割当情報（ｌ＝２）により示された長いＴＴＩ送信は、Ｄ−ｍ（５−２）＜ＮＴＴＩ（＝５）であるため、＃（ｉ＋１）（ａ＝（ｉ＋１））フレームの＃０（ｈ＝０）  ＤＬサブフレームで開始され、このデータバーストに対するＵＬ  ＨＡＲＱフィードバックは、＃（ｉ＋２）（ｂ＝（ｉ＋２））フレームの＃１（ｎ＝２−１）  ＵＬサブフレームで送信される。
【０１９３】
他の例において、長いＴＴＩがＴＤＤ  ＤＬで全ＤＬ期間を占有する場合に、データバースト送信は、常に＃０  ＤＬサブフレームで開始される。このようなシステムにおいて、＃ｌ  ＤＬサブフレームで送信されるデータバースト割当情報がＤＬの長いＴＴＩ送信を示す際に、ｌ＝０である場合に、ＨＡＲＱ動作のためのサブフレームインデックスｍ、ｎ及びフレームインデックスｊは、表３のように計算される。他方、ｌ≠０である場合に、このデータバースト割当情報は、＃ｉフレームの次のフレームである＃（ｉ＋１）フレームの＃０サブフレームで開始されるデータバースト送信を示す。このデータバーストに対するＨＡＲＱフィードバックは、＃ｊフレームの＃ｎサブフレームで送信される。したがって、ｎ及びｊは、表３の代わりに下記の数式１４により計算される。すなわち、ＨＡＲＱフィードバックが送信される位置（ｎ，ｊ）は、データバースト割当情報のサブフレームインデックスｌ及びデータバーストのフレームインデックス（ｊ＋１）に基づいて決定される。
【０１９４】
【数１４】
0005336612.tif 000019
【０１９５】
ここで、ｍ＝０、ＮＴＴＩ＝Ｄである。したがって、数式１２において、ｚは、０及びＤをｍ及びＮＴＴＩにそれぞれ置き換えることにより数式１５のように計算される。ここで、ｎは、このデータバースト割当情報を運搬するＤＬサブフレームのインデックスｌに基づいて決定される。
【０１９６】
【数１５】
0005336612.tif 000020
【０１９７】
ＵＬ  ＨＡＲＱに対して表４を参照すると、＃ｉフレームの＃ｌ  ＤＬサブフレームで送信されるデータバースト割当情報は、ＮＡ−ＭＡＰ及びＤＬサブフレームインデックスｌに従って＃ｊフレームの＃ｍ  ＵＬサブフレームで開始されるデータバースト送信を示す。長いＴＴＩ送信の場合に、このデータバースト送信の開始は、ＵＬサブフレームインデックスｍ及びこのデータバーストのＴＴＩであるＮＴＴＩに従って決定される。したがって、長いＴＴＩ送信は、＃ａフレームの＃ｈ  ＤＬサブフレームで開始され、長いＴＴＩ送信に対するＨＡＲＱフィードバックは、＃ｂフレームの＃ｆ  ＤＬサブフレームで送信される。ＤＬ  ＨＡＲＱフィードバックがＮＡＣＫ信号である場合に、このデータバーストの再送信は、＃ｃフレームの＃ｈ  ＵＬサブフレームで行われる。ここで、フレームインデックスａ、ｂ、及びｃとサブフレームインデックスｈ及びｆとは、このデータバースト割当情報を運搬するインデックスｉ及びｌ、このインデックスｉ及びｌに対応するＵＬフレーム及びサブフレームインデックスｊ及びｍ、及びＮＴＴＩに従って次のように決定される。
【０１９８】
Ｕ−ｍ≧ＮＴＴＩである場合に、ｊ＝ｉとなり、このデータバースト割当情報で示された長いＴＴＩ送信は、＃ｊフレームの＃ｍサブフレームで開始されるので、ａ＝ｉであり、ｈ＝ｍである。他方、Ｕ−ｍ＜ＮＴＴＩである場合に、ｊ＝ｉ＋１となり、残りのＵＬフレーム期間は、ＮＴＴＩより小さいので、このデータバーストは、＃ｉフレームで送信されることができない。したがって、＃（ｉ＋１）フレームの＃０  ＵＬサブフレームで長いＴＴＩ送信が開始されるので、ａ＝ｉ＋１であり、ｈ＝０である。ＤＬ  ＨＡＲＱフィードバックが＃ｌ  ＤＬサブフレームで送信されるため、ｆ＝lである。数式１３を参照すると、Ｕ−ｈ−ＮＴＴＩ＋ｌ≧Ｒｘ＿Ｔｉｍｅ４である場合に、ＤＬ  ＨＡＲＱフィードバックは、＃ｂ（ｂ＝（ａ＋１））フレームで送信される。Ｕ−ｈ−ＮＴＴＩ＋ｌ＜Ｒｘ＿Ｔｉｍｅ４の場合に、ＤＬ  ＨＡＲＱフィードバックは、＃ｂ（ｂ＝（ａ＋２））フレームで送信される。ＤＬ  ＨＡＲＱフィードバックがＮＡＣＫ信号である場合に、再送信は、＃ｃフレームの＃ｈ  ＵＬサブフレームで開始される。ここで、このフレームインデックスａの計算と同様に、ａ＝ｉである場合には、ｃ＝ｂであり、ａ＝ｉ＋１である場合には、ｃ＝ｂ＋１である。
【０１９９】
例えば、５：３ＴＤＤ構造において、ＮＴＴＩ＝３、ＮＡ−ＭＡＰ＝１、及びＴｘ／Ｒｘ処理時間＝３である場合に、＃ｉフレームの＃２  ＤＬサブフレームで送信されるデータバースト割当情報により示されたＵＬデータバースト送信は、
Ｕ−ｍ（３−１）＜ＮＴＴＩ（＝３）であるため、＃（ｉ＋１）（ａ＝（ｉ＋１））フレームの＃０（ｈ＝０）  ＵＬサブフレームで開始され、このデータバーストに対するＤＬ  ＨＡＲＱフィードバックは、＃（ｉ＋２）（ｂ＝（ｉ＋２））フレームの＃２（ｆ＝２）  ＵＬサブフレームで送信される。ＤＬ  ＨＡＲＱフィードバックがＮＡＣＫ信号である場合に、再送信は、１であるＨＡＲＱ  Ｔｘオフセットに基づくａ＝ｉ＋１の計算と同様に、＃（ｉ＋３）、すなわち、（ｂ＋１＝ｉ＋３）フレームの＃０  ＵＬサブフレームで行われる。
【０２００】
他の例において、長いＴＴＩがＴＤＤ  ＵＬで全ＵＬ期間を占有する場合に、データバースト送信は、常に＃０  ＵＬサブフレームで開始される。このようなシステムにおいて、＃ｌ  ＤＬサブフレーム内のデータバースト割当情報がＵＬの長いＴＴＩ送信を示す場合に、サブフレームインデックスｌに対応するデータバーストは、＃ｊフレームの＃０サブフレームでの送信を開始する（ｍ＝０）。このデータバーストに対するＨＡＲＱフィードバックは、＃ｋフレームの＃ｌ  ＤＬサブフレームで送信される。このＨＡＲＱフィードバックがＮＡＣＫ信号である場合に、ＨＡＲＱ再送信は、＃ｐフレームの＃０  ＵＬサブフレームで開始される。ここで、フレームインデックスｊ、ｋ、及びｐは、ｍ＝０を考慮して決定されたＨＡＲＱ  Ｔｘオフセットｖ及びＨＡＲＱフィードバックオフセットｗを用いて表４で定義された数式により計算される。
【０２０１】
ＦＤＤモードにおいて、ＤＬサブフレーム及びＵＬサブフレームは、それぞれ相互に異なる周波数帯域で連続して提供されるので、長いＴＴＩ送信は、任意のサブフレームで開始され得る。しかしながら、長いＴＴＩ送信の開始が実現複雑度又は任意の他の要素を考慮して特定のサブフレームに限定される場合に、ＴＤＤモードにおけるように、制御情報（例えば、リソース割当情報及びＨＡＲＱフィードバック情報）は、特定のサブフレームに集中することができる。したがって、ＨＡＲＱタイミングは、ＴＤＤモードと同様に、ＦＤＤで再調整する必要がある。
【０２０２】
長いＴＴＩ送信が特定のＤＬサブフレーム、すなわち、ＦＤＤシステムにおけるＤＬ  ＨＡＲＱ動作のためのＤＬサブフレームｘで開始するように限定される場合に、次のＨＡＲＱタイミングが考慮され得る。長いＴＴＩ送信は、少なくとも１つのＤＬサブフレーム（ｘ１，ｘ２，．．．，ｘｍａｘ）を含む。ここで、ＮＡ−ＭＡＰは、１である。すなわち、＃ｌ  ＤＬサブフレーム（ｌ≠ｘ）で送信されるデータバースト割当情報が長いＴＴＩ送信を示す場合に、長いＴＴＩ送信は、＃ｌサブフレームの後に長いＴＴＩ送信が可能なＤＬサブフレームで開始される。
【０２０３】
上記の場合において、＃ｌ  ＤＬサブフレームで送信されるデータバースト割当情報がＤＬの長いＴＴＩ送信を示し、ｌ＝ｘである場合に、ＨＡＲＱ動作のためのサブフレームインデックスｍ、ｎ及びフレームインデックスｊは、表１により計算される。他方、ｌ≠ｘである場合に、このデータバースト送信は、＃ｍフレームで開始される。このデータバーストに対するＨＡＲＱフィードバックは、＃ｊフレームの＃ｎサブフレームで送信される。ここで、インデックスｍ、ｎ、及びｊは、表１の代わりに下記の数式１６により決定される。すなわち、ＨＡＲＱフィードバックの位置（ｎ，ｊ）は、このデータバースト割当情報のＤＬサブフレームインデックスｌ、このデータバーストのサブフレームインデックスｘ及びフレームインデックスに基づいて決定される。
【０２０４】
【数１６】
0005336612.tif 000021
【０２０５】
ここで、xniは、＃ｉフレームの＃ｘｎサブフレームを示し、ｌ＝０，１，．．．，Ｆ−１である。
【０２０６】
例えば、ＴＴＩ送信の開始が＃０及び＃４  ＤＬサブフレームに限定され、Ｆ＝８、ＮＴＴＩ＝４、Ｔｘ／Ｒｘ処理時間が３個のサブフレームである場合に、＃ｉフレームの＃１、＃２、又は＃３  ＤＬサブフレーム（すなわち、ｘ２＝４）で提供されるデータバースト割当情報により示される長いＴＴＩ送信は、＃ｉフレームの＃４  ＤＬサブフレーム（ｍ＝４）で開始され、この長いＴＴＩ送信に対するＨＡＲＱフィードバックは、＃（ｉ＋１）フレームの＃ｎ  ＵＬサブフレームで送信される。ここで、ｎは、５から７に及ぶ。ここで、（ｃｅｉｌ（８／２）−４＋３）が３より大きいか又は同一であるので、ｚ＝０である。また、＃ｉフレームの＃５乃至＃７  ＤＬサブフレームで提供されるデータバースト割当情報により示される長いＴＴＩ送信は、＃（ｉ＋１）フレームの＃０  ＤＬサブフレーム（ｍ＝０）で開始され、この長いＴＴＩ送信に対するＨＡＲＱフィードバックは、＃（ｉ＋２）フレームの＃ｎ  ＵＬサブフレームで送信される。ここで、ｎは、１から３に及ぶ。この際に、（ｃｅｉｌ（８／２）−４−５）が３より小さいのでｚ＝１である。
【０２０７】
ＦＤＤモードのＵＬ  ＨＡＲＱにおいて、長いＴＴＩ送信の開始がＦＤＤシステムにおけるＵＬ  ＨＡＲＱ動作に対する特定のＵＬサブフレームであるＵＬサブフレームｙに限定される場合に、次のＨＡＲＱタイミングが考慮され得る。長いＴＴＩ送信は、少なくとも１つのＵＬサブフレーム（ｙ１，ｙ２，．．．，ｙｍａｘ）を含む。
【０２０８】
上記の場合において、＃ｌ  ＤＬサブフレームで送信されるデータバースト割当情報がＵＬの長いＴＴＩ送信を示し、ｎ＝ｙである場合に、ＨＡＲＱ動作のためのサブフレームインデックスｍ及びフレームインデックスｊは、表２により計算される。他方、ｎ≠ｙである場合に、このデータバースト送信は、＃ｍ  ＵＬサブフレームで開始される。すなわち、このデータバースト割当情報 は、＃ｊフレームの＃ｍ  ＵＬサブフレームでのデータバースト送信を示す。このデータバーストに対するＨＡＲＱフィードバックは、＃ｋフレームの＃ｌ  ＤＬサブフレームで送信される。ＨＡＲＱフィードバックがＮＡＣＫ信号であるか又は再送信に対するリソース割当てが示される場合に、ＨＡＲＱ再送信は、＃ｐフレームの＃ｍサブフレームで開始される。ここで、インデックスｍ、ｊ、ｋ、及びｐは、表２の代わりに下記数式１７により決定される。すなわち、ＨＡＲＱフィードバックの位置（ｍ，ｊ）は、このデータバースト割当情報のＤＬサブフレームインデックスｌ、このデータバーストのサブフレームインデックスｙ及びフレームインデックスｉに基づいて決定される。
【０２０９】
ここで、フレームインデックスｊ、ｋ、及びｐは、ｍ＝０を考慮して決定されたＨＡＲＱ  Ｔｘオフセットｖ及びＨＡＲＱフィードバックオフセットｗを用いて表２で定義された数式により計算される。
【０２１０】
【数１７】
0005336612.tif 000022
【０２１１】
ここで、yniは、＃ｉフレームの＃ｙｎサブフレームを示し、ｌ＝０，１，．．．，Ｆ−１である。
【０２１２】
例えば、ＴＴＩ送信の開始が＃０及び＃４  ＵＬサブフレーム（すなわち、ｙ１＝０，ｙ１＝４）に限定され、Ｆ＝８、ＮＴＴＩ＝４、及びＴｘ／Ｒｘ処理時間が３個のサブフレームである場合に、＃ｉフレームの＃１、＃２、又は＃３  ＤＬサブフレーム（すなわち、１≦ｌ≦３，５≦ｎ≦７）で提供されるデータバースト割当情報により示される長いＴＴＩ送信は、＃（ｉ＋１）フレームの＃０  ＵＬサブフレームで開始され、長いＴＴＩ送信に対するＨＡＲＱフィードバックは、＃（ｉ＋２）フレームの＃１、＃２、又は＃３  ＤＬサブフレームで送信される。ここで、（ｃｅｉｌ（８／２）−１＋０−ｎ）は、３より小さいので、ｖ＝１である。（ｆｌｏｏｒ（８／２）−４＋ｎ−０）が３より大きいか又は同一であるので、ｗ＝０である。また、＃ｉフレームの＃５、＃６、又は＃７  ＤＬサブフレーム（すなわち、５≦ｌ≦７，１≦ｎ≦３）内のデータバースト割当情報により示される長いＴＴＩ送信は、＃（ｉ＋１）フレームの＃４  ＵＬサブフレーム（ｍ＝４）で開始され、長いＴＴＩ送信に対するＨＡＲＱフィードバックは、＃（ｉ＋２）フレームの＃ｌ（ｌは、５、６、及び７の中の１つである）サブフレームで送信される。ＨＡＲＱフィードバックがＮＡＣＫ信号であり、再送信のためのリソース割当てが示される場合に、ＨＡＲＱ再送信は、＃（ｉ＋３）フレームの＃４  ＵＬサブフレームで開始される。ここで、（ｃｅｉｌ（８／２）−１＋４−ｎ）が３より大きいか又は同一であるので、ｖ＝０である。（ｆｌｏｏｒ（８／２）−４＋ｎ−４）が３より小さいので、ｗ＝１である。
【０２１３】
もう１つの実施形態において、データバースト割当情報がすべてのＤＬサブフレームで送信される場合に、ＮＡ−ＭＡＰ＝１となる。したがって、表１乃至表４は、下記表５乃至表８にそれぞれ変換される。下記表は、データバースト割当情報を有する割当Ａ−ＭＡＰ、データバーストを運搬するＨＡＲＱサブパケット、ＨＡＲＱフィードバック（ＡＣＫ又はＮＡＣＫ）、及びＨＡＲＱ再送信サブパケットの中の少なくとも１つの送信時点を決定するために使用され得る。しかしながら、下記表が本発明を限定するものと解釈されてはいけないことを理解すべきである。
【０２１４】
【表５】
0005336612.tif 000023
【０２１５】
【表６】
0005336612.tif 000024
【０２１６】
【表７】
0005336612.tif 000025
【０２１７】
【表８】
0005336612.tif 000026
【０２１８】
例えば、図１に示すように、各スーパーフレームが４個のフレームを含む場合に、表５乃至表８において、Ｎは、４である。表７の‘ＨＡＲＱ  ｆｅｅｄｂａｃｋ  ｉｎ  ＵＬ’又は表８の‘ＨＡＲＱ  Ｓｕｂｐａｃｋｅｔ  Ｔｘ  ｉｎ  ＵＬ’で、ＤがＵと同一である場合には、ｎは、上記の数式に関係なく同一である。すなわち、ｎ＝ｍ−ｋとなる。
【０２１９】
本発明の変形された実施形態によると、送信器及び受信器は、表４乃至表８又は表９乃至表１２内の数式に従って可能なすべての入力値に対応する結果値を有する少なくとも１つのテーブルを有し、ＨＡＲＱタイミングを決定するために現在の入力値に対応する結果値を読み出すことができる。一例として、この入力値は、サブフレームインデックス及びＤＬでの割当Ａ−ＭＡＰ  ＩＥ  Ｔｘのフレームインデックスを示す。
【０２２０】
本発明の変形された実施形態によると、次の表９乃至表１２は、データバースト割当情報及び割当Ａ−ＭＡＰの送信時間を使用してＨＡＲＱタイミングを決定するために使用され得る。
【０２２１】
【表９】
0005336612.tif 000027
【０２２２】
【表１０】
0005336612.tif 000028
【０２２３】
【表１１】
0005336612.tif 000029
【０２２４】
【表１２】
0005336612.tif 000030
【０２２５】
もう１つの実施形態として、上述したＵＬ  ＨＡＲＱ動作タイミングは、ＵＬ送信の関係を有するリソース割当てのためのチャネルに適用可能である。例えば、ＵＬ高速フィードバックチャネルの場合に、基地局は、高速のＵＬフィードバックのためのリソース割当情報を＃ｉフレームの＃ｌ  サブフレームで送信する。ＵＬ高速フィードバック情報の送信タイミング、すなわち、フレームインデックス及びサブフレームインデックスは、ｉ及びｌに基づいて決定される。より具体的に、ＵＬ高速フィードバック情報のフレームインデックスｊ及びサブフレームインデックスｍは、表２、表４、表６、及び表８の中のいずれか１つにより決定される。
【０２２６】
以上では、ＴＤＤシステムにおいて、ＤＬサブフレーム及びＵＬサブフレームがＤＬ及びＵＬ内で個別にインデキシングされると説明したが、ＤＬサブフレーム及びＵＬサブフレームは、ＤＬ及びＵＬを含む１つのフレーム内で順次にインデキシングされ得る。ＵＬサブフレームインデックスｘは、フレーム内のサブフレームインデックスｄ＋ｘと置き換えられる。
【０２２７】
図１９及び図２０は、本発明の実施形態によるＤＬ及びＵＬ  ＨＡＲＱタイミング構造に従う基地局と端末間の動作のための信号フローを示す図である。
【０２２８】
図１９を参照すると、ステップ１８０２で、基地局は、システム構成情報を端末に送信する。このシステム構成情報は、端末のシステムアクセスを可能にするために、基地局によりブロードキャストされるか又は基地局と端末間の交渉により取得される。このシステム構成情報は、ＨＡＲＱタイミング構造を実現するために必要とされ、帯域幅（サブフレームの総数）、各リンク（ＤＬ及びＵＬ）のサブフレームの個数、基地局のＴｘ／Ｒｘ処理時間、及び端末のＴｘ／Ｒｘ処理時間などを含む。
【０２２９】
端末がこのシステム構成情報からシステム情報を取得した後に、基地局及び端末は、ステップ１８０４で、相互にデータ通信を実行することができる。変形された実施形態において、端末がこのシステム構成情報を予め認識している場合に、ステップ１８０４は、省略され得る。
【０２３０】
ステップ１８０６で、基地局は、＃ｉフレームの＃ｌ  ＤＬサブフレームでフレームインデックス、サブフレームインデックス、長いＴＴＩ、及びＭＡＰ関連情報を含むか又は示す割当情報を端末に送信する。端末は、この割当情報を復号化することにより必要な情報を抽出する。端末は、上述した本発明の実施形態の中の少なくとも１つに従って、前のＨＡＲＱ動作のフレームインデックス及びサブフレームインデックスに基づいて各ＨＡＲＱ動作のフレームインデックス及びサブフレームインデックスを決定する。
【０２３１】
ステップ１８０８で、基地局は、この割当情報に従って＃ａフレームの＃ｈサブフレームでＤＬ  ＨＡＲＱバーストを送信し、端末は、この割当情報に基づいてＤＬ  ＨＡＲＱバーストを復号化する。ステップ１８１０で、端末は、＃ｂフレームの＃ｆサブフレームでこの復号化結果に従うＤＬ  ＨＡＲＱバーストに対するＨＡＲＱフィードバックを基地局に送信する。
【０２３２】
ステップ１８１２で、次の割当情報は、所定の割当情報送信期間に従う＃ｃフレームの＃ｈサブフレームで送信され得る。ＨＡＲＱフィードバックがＮＡＣＫ信号である場合に、ステップ１８１４で、ＤＬ  ＨＡＲＱバーストは、再送信され得る。
【０２３３】
図２０を参照すると、ステップ１９０２で、基地局は、システム構成情報を端末に送信する。端末がシステム情報をこのシステム構成情報から取得し、基地局にアクセスした後に、基地局及び端末は、ステップ１９０４で、相互にデータ通信を実行することができる。
【０２３４】
ステップ１９０６で、基地局は、＃ｉフレームの＃ｌ  ＤＬサブフレームで フレームインデックス、サブフレームインデックス、長いＴＴＩ、ＭＡＰ関連情報を含むか又は示す割当情報を端末に送信する。端末は、この割当情報を復号化することにより必要な情報を抽出する。端末は、上述した本発明の実施形態の中の少なくとも１つに従って、前のＨＡＲＱ動作のフレームインデックス及びサブフレームインデックスに基づいて各ＨＡＲＱ動作のフレームインデックス及びサブフレームインデックスを決定する。
【０２３５】
ステップ１９０８で、端末は、この割当情報に従って＃ａフレームの＃ｈサブフレームでＵＬ  ＨＡＲＱバーストを送信し、基地局は、この割当情報に基づいてＵＬ  ＨＡＲＱバーストを復号化する。ステップ１９１０で、基地局は、＃ｂフレームの＃ｆサブフレームでこの復号化結果に従うＵＬ  ＨＡＲＱバーストに対するＨＡＲＱフィードバック又は次の割当情報を端末に送信する。このＨＡＲＱフィードバックがＮＡＣＫ信号である場合に、ステップ１９１２で、 ＵＬ  ＨＡＲＱバーストは、所定の送信期間に従う＃ｃフレームの＃ｈサブフレームで再送信され得る。
【０２３６】
上述した本発明の実施形態の中の少なくとも１つを実現するために、基地局及び端末の各々は、プロセッサで構成される制御器と、この制御器の動作のためのプログラムコード及び関連パラメータを格納するメモリと、この制御器の制御の下に相手通信局とのシグナリングメッセージ又はデータトラフィックを交換する送信器及び受信器とを含む。制御器は、上述した本発明の実施形態の中の少なくとも１つに従って、送信器及び受信器の動作のためのＨＡＲＱタイミングを制御する。
【０２３７】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０２３８】
３００  ＃ｉフレームの＃ｌ  ＤＬサブフレーム
３１０  ＃ｉフレームの＃５  ＵＬサブフレーム
３２０  ＃（ｉ＋１）フレームの＃１  ＤＬサブフレーム
３３０  ＃（ｉ＋１）フレームの＃５  ＵＬサブフレーム
【図１】
0005336612.tif 000054
【図２】
0005336612.tif 000055
【図３】
0005336612.tif 000056
【図４】
0005336612.tif 000057
【図５】
0005336612.tif 000058
【図６】
0005336612.tif 000059
【図９】
0005336612.tif 000060
【図１０】
0005336612.tif 000061
【図１５】
0005336612.tif 000062
【図１９】
0005336612.tif 000063
【図２０】
0005336612.tif 000064
【図７】
0005336612.tif 000065
【図８】
0005336612.tif 000066
【図１１】
0005336612.tif 000067
【図１２】
0005336612.tif 000068
【図１３】
0005336612.tif 000069
【図１４】
0005336612.tif 000070
【図１６】
0005336612.tif 000071
【図１７】
0005336612.tif 000072
【図１８】
0005336612.tif 000073